(57)【要約】      （修正有）【課題】動物用排泄物処理材の製造方法および製造装置に関する一層合理的な構築技術を提供する。【解決手段】造粒工程Ｓ１００と、篩によって粒状体を選別して動物用排泄物処理材を形成する選別工程Ｓ２００とを有し、さらに品質管理工程Ｓ３００として、サンプルを抽出する抽出工程Ｓ４００と、サンプルにおける単位重量表面積を得る比較データ算出工程Ｓ５００と、比較データに基づき篩の交換を行う篩交換工程Ｓ７００とを有する。【選択図】図２
2015057986.tif 000002
【特許請求の範囲】
【請求項１】
動物用排泄物処理材の製造方法であって、
原材料を造粒して粒状体を形成する造粒工程と、所定大きさの目開きを有する篩によって前記粒状体を選別することにより動物用排泄物処理材を形成する選別工程とを有し、
さらに、品質管理機材を用いた品質管理工程として、
前記動物用排泄物処理材から測定対象となるサンプルを抽出する抽出工程と、
前記サンプルにおける単位重量表面積を比較データとして得る比較データ算出工程と、
前記比較データに基づき前記篩の交換を行う篩交換工程と、を有することを特徴とする動物用排泄物処理材の製造方法。
【請求項２】
請求項１に記載された動物用排泄物処理材の製造方法であって、
前記品質管理工程は、所定数値の単位重量表面積である基準データを有するとともに、前記比較データと前記基準データとを比較する比較工程を有することを特徴とする動物用排泄物処理材の製造方法。
【請求項３】
請求項１または２に記載された動物用排泄物処理材の製造方法であって、
前記篩は、前記選別工程で使用されている使用篩と、当該使用篩とは異なる目開きを有する篩である準備篩とを有し、
前記篩交換工程は、前記使用篩を、前記準備篩へと交換することを特徴とする動物用排泄物処理材の製造方法。
【請求項４】
動物用排泄物処理材の製造方法であって、
原材料を造粒して粒状体を形成する造粒工程と、所定大きさの目開きを有する篩によって前記粒状体を選別することにより動物用排泄物処理材を形成する選別工程とを有し、
さらに、品質管理機材を用いた品質管理工程として、
前記動物用排泄物処理材から測定対象となるサンプルを抽出する抽出工程と、
前記サンプルにおける表面積を比較データとして得る比較データ算出工程と、
前記比較データに基づき前記篩の交換を行う篩交換工程と、を有することを特徴とする動物用排泄物処理材の製造方法。
【請求項５】
請求項４に記載された動物用排泄物処理材の製造方法であって、
前記品質管理工程は、所定数値の表面積である基準データを有するとともに、前記比較データと前記基準データとを比較する比較工程を有することを特徴とする動物用排泄物処理材の製造方法。
【請求項６】
請求項４または５に記載された動物用排泄物処理材の製造方法であって、
前記篩は、前記選別工程で使用されている使用篩と、当該使用篩とは異なる目開きを有する篩である準備篩とを有し、
前記篩交換工程は、前記使用篩を、前記準備篩へと交換することを特徴とする動物用排泄物処理材の製造方法。
【請求項７】
動物用排泄物処理材の製造装置であって、
原材料を造粒して粒状体を形成する造粒部と、所定大きさの目開きを有する篩によって前記粒状体を選別することにより動物用排泄物処理材を形成する選別部とを有し、
さらに、品質管理機材を用いた品質管理部として、
前記動物用排泄物処理材から測定対象となるサンプルを抽出する抽出部と、
前記サンプルにおける単位重量表面積を比較データとして得る比較データ算出部と、
前記比較データに基づき前記篩の交換を行う篩交換部と、を有することを特徴とする動物用排泄物処理材の製造装置。
【請求項８】
動物用排泄物処理材の製造装置であって、
原材料を造粒して粒状体を形成する造粒部と、所定大きさの目開きを有する篩によって前記粒状体を選別することにより動物用排泄物処理材を形成する選別部とを有し、
さらに、品質管理機材を用いた品質管理部として、
前記動物用排泄物処理材から測定対象となるサンプルを抽出する抽出部と、
前記サンプルにおける表面積を比較データとして得る比較データ算出部と、
前記比較データに基づき前記篩の交換を行う篩交換部と、を有することを特徴とする動物用排泄物処理材の製造装置。
【発明の詳細な説明】
【技術分野】
【０００１】
本発明は、動物用排泄物処理材の製造方法および製造装置に係る構築技術に関するものである。
【背景技術】
【０００２】
従来より、特に室内で飼育される動物の排泄物を処理するために、動物用排泄物処理材が種々提案されている。そして、それに伴い、動物用排泄物処理材の製造方法も種々提案されている。例えば、特開平１−３１２９４５号には、篩により所望の粒径を得る動物用排泄物処理材の製造方法が開示されている。
一方、本発明に係る発明者は、開発活動の結果、製造工程中の篩を活用し、さらなる管理手法が行えることを見出した。
【先行技術文献】
【特許文献】
【０００３】
【特許文献１】特開平１−３１２９４５号公報
【発明の概要】
【発明が解決しようとする課題】
【０００４】
本発明は、このような点に鑑みて創案されたものであり、動物用排泄物処理材の製造方法および製造装置に関する一層合理的な構築技術を提供することを目的とする。
【課題を解決するための手段】
【０００５】
上記課題を解決するため、本発明に係る動物用排泄物処理材の製造方法における好ましい形態によれば、原材料を造粒して粒状体を形成する造粒工程と、所定大きさの目開きを有する篩によって粒状体を選別することにより動物用排泄物処理材を形成する選別工程とを有する。
さらに、品質管理機材を用いた品質管理工程として、動物用排泄物処理材から測定対象となるサンプルを抽出する抽出工程と、サンプルにおける単位重量表面積を比較データとして得る比較データ算出工程と、比較データに基づき篩の交換を行う篩交換工程と、を有する。
これによって、サンプルにおける単位重量表面積に基づき、適切な篩を使用することが可能となる。したがって、動物用排泄物処理材の製造方法として、安定した品質の動物用排泄物処理材を製造することができる。
【０００６】
本発明に係る動物用排泄物処理材の製造方法におけるさらなる形態によれば、品質管理工程は、所定数値の単位重量表面積である基準データを有するとともに、比較データと基準データとを比較する比較工程を有する。
これによって、単位重量表面積と基準データを比較することにより、適切な篩であるかどうかを自動的に判別することが可能となる。
【０００７】
本発明に係る動物用排泄物処理材の製造方法におけるさらなる形態によれば、篩は、選別工程で使用されている使用篩と、当該使用篩とは異なる目開きを有する篩である準備篩とを有する。この場合、篩交換工程は、使用篩を準備篩へと交換することができる。
【０００８】
上記課題を解決するため、本発明に係る動物用排泄物処理材の製造方法における好ましい形態によれば、原材料を造粒して粒状体を形成する造粒工程と、所定大きさの目開きを有する篩によって粒状体を選別することにより動物用排泄物処理材を形成する選別工程とを有する。
さらに、品質管理機材を用いた品質管理工程として、動物用排泄物処理材から測定対象となるサンプルを抽出する抽出工程と、サンプルにおける表面積を比較データとして得る比較データ算出工程と、比較データに基づき篩の交換を行う篩交換工程と、を有する。
これによって、サンプルにおける表面積に基づき、適切な篩を使用することが可能となる。したがって、動物用排泄物処理材の製造方法として、安定した品質の動物用排泄物処理材を製造することができる。
【０００９】
本発明に係る動物用排泄物処理材の製造方法におけるさらなる形態によれば、品質管理工程は、所定数値の表面積である基準データを有するとともに、比較データと基準データとを比較する比較工程を有する。
これによって、表面積と基準データを比較することにより、適切な篩であるかどうかを自動的に判別することが可能となる。
【００１０】
本発明に係る動物用排泄物処理材の製造方法におけるさらなる形態によれば、篩は、選別工程で使用されている使用篩と、当該使用篩とは異なる目開きを有する篩である準備篩とを有する。この場合、篩交換工程は、使用篩を、準備篩へと交換することができる。
【００１１】
上記課題を解決するため、本発明に係る動物用排泄物処理材の製造装置における好ましい形態によれば、原材料を造粒して粒状体を形成する造粒部と、所定大きさの目開きを有する篩によって粒状体を選別することにより動物用排泄物処理材を形成する選別部とを有有する。
さらに、品質管理機材を用いた品質管理部として、動物用排泄物処理材から測定対象となるサンプルを抽出する抽出部と、サンプルにおける単位重量表面積を比較データとして得る比較データ算出部と、比較データに基づき前記篩の交換を行う篩交換部と、を有する。
これによって、サンプルにおける単位重量表面積に基づき、適切な篩を使用することが可能となる。したがって、動物用排泄物処理材の製造装置として、安定した品質の動物用排泄物処理材を製造することができる。
【００１２】
上記課題を解決するため、本発明に係る動物用排泄物処理材の製造装置における好ましい形態によれば、原材料を造粒して粒状体を形成する造粒部と、所定大きさの目開きを有する篩によって粒状体を選別することにより動物用排泄物処理材を形成する選別部とを有する。
さらに、品質管理機材を用いた品質管理部として、動物用排泄物処理材から測定対象となるサンプルを抽出する抽出部と、サンプルにおける表面積を比較データとして得る比較データ算出部と、比較データに基づき前記篩の交換を行う篩交換部と、を有する。
これによって、サンプルにおける表面積に基づき、適切な篩を使用することが可能となる。したがって、動物用排泄物処理材の製造装置として、安定した品質の動物用排泄物処理材を製造することができる。
【発明の効果】
【００１３】
本発明によれば、動物用排泄物処理材の製造方法に関する一層合理的な構築技術を提供することが可能となる。
【図面の簡単な説明】
【００１４】
【図１】本発明に係る動物用排泄物処理材を示す説明図である。
【図２】本発明の全体基本形態に係る第１製造装置を示すブロック図である。
【図３】本発明の全体基本形態に係る第２製造装置を示すブロック図である。
【図４】本発明の第１比較データ算出装置に係るブロック図である。
【図５】本発明の第２比較データ算出装置に係るブロック図である。
【図６】本発明の交換装置に係るブロック図である。
【図７】本発明の全体基本形態に係る第３製造装置を示すブロック図である。
【図８】本発明の全体基本形態に係る第４製造装置を示すブロック図である。
【図９】本発明に係る第１実施パターンを示すブロック図である。
【図１０】本発明に係る第１実施パターンを示すフローチャート図である。
【図１１】本発明に係る第２実施パターンを示すブロック図である。
【図１２】本発明に係る第２実施パターンを示すフローチャート図である。
【図１３】本発明に係る第３実施パターンを示すブロック図である。
【図１４】本発明に係る第３実施パターンを示すフローチャート図である。
【図１５】本発明に係る第４実施パターンを示すブロック図である。
【図１６】本発明に係る第４実施パターンを示すフローチャート図である。
【図１７】本発明に係る第５実施パターンを示すブロック図である。
【図１８】本発明に係る第５実施パターンを示すフローチャート図である。
【図１９】本発明に係る第６実施パターンを示すブロック図である。
【図２０】本発明に係る第６実施パターンを示すフローチャート図である。
【図２１】本発明に係る第７実施パターンを示すブロック図である。
【図２２】本発明に係る第７実施パターンを示すフローチャート図である。
【図２３】本発明に係る第８実施パターンを示すブロック図である。
【図２４】本発明に係る第８実施パターンを示すフローチャート図である。
【図２５】本発明に係る第９実施パターンを示すブロック図である。
【図２６】本発明に係る第９実施パターンを示すフローチャート図である。
【図２７】本発明に係る第１０実施パターンを示すブロック図である。
【図２８】本発明に係る第１０実施パターンを示すフローチャート図である。
【図２９】本発明に係る第１１実施パターンを示すブロック図である。
【図３０】本発明に係る第１１実施パターンを示すフローチャート図である。
【図３１】本発明に係る第１２実施パターンを示すブロック図である。
【図３２】本発明に係る第１２実施パターンを示すフローチャート図である。
【図３３】本発明に係る第１３実施パターンを示すブロック図である。
【図３４】本発明に係る第１３実施パターンを示すフローチャート図である。
【図３５】本発明に係る第１４実施パターンを示すブロック図である。
【図３６】本発明に係る第１４実施パターンの概略図である。
【発明を実施するための最良の形態】
【００１５】
以下に、本発明に係る動物排泄物処理材の製造方法を、図１〜図３６に基づき説明する。本実施の形態における「動物」は、脊椎動物（哺乳類、爬虫類、鳥類、両性類）や無脊椎動物を広く包含するが、典型的には、猫、犬、ウサギ、ハムスターなどといった愛玩動物がこれに該当する。本発明に係る動物用排泄物処理材は、室内で飼育される猫用のものとして特に好適である。
【００１６】
（全体基本形態）
本発明に係る動物用排泄物処理材の製造方法および製造装置における全体基本形態を、図１〜図８に基づき説明する。なお、この図１〜図８に係る全体基本形態で説明した製造方法や製造装置工は、図９〜図３６にて後述する第１実施パターン〜第１４実施パターンに係る動物用排泄物処理材の製造方法および製造装置に適宜応用されるものである。
【００１７】
（動物用排泄物処理材Ｃ１００）
図１は、動物用排泄物処理材Ｃ１００の概要を示す斜視図である。本発明に係る動物用排泄物処理材の製造方法および製造装置は、種々提案されている周知の動物用排泄物処理材Ｃ１００を適宜製造することができる。ここで、周知の動物用排泄物処理材Ｃ１００としては、動物の排泄物を吸収するもの、動物の排泄物を吸収するとともに粘性を発現し、複数の動物用排泄処理材Ｃ１００同士が接着するもの、吸収性を有するシート状部材と組み合わせて使用されるものなどを示す。なお、ここでいう「排泄物」は、屎尿のみならず、唾液や経血等の体液も広く包含する趣旨である。
【００１８】
したがって、動物用排泄物処理材Ｃ１００は、形状や素材も周知の構成を適宜選択することができる。例えば、図１には円柱形状の動物用排泄物処理材Ｃ１００が開示されているが、球状、楕円形、多角形による柱状のものなど、様々な形状を選択し得る。また、例えばベントナイト等を粉砕して製造する場合などのように一定の形状を有さないものも存在する。
この動物用排泄物処理材Ｃ１００が、本発明に係る「動物用排泄物処理材」の一例である。
【００１９】
（第１製造装置Ａ１）
本発明に係る動物用排泄物処理材の製造方法ＳＡは、動物用排泄物処理材の製造装置Ａにより実施される。図２は、第１製造方法ＳＡ１を実施するための、第１製造装置Ａ１を示す。第１製造装置Ａ１は、造粒部Ａ１００と、選別部Ａ２００を有する。造粒部Ａ１００は、造粒工程Ｓ１００を実施し、選別部Ａ２００は選別工程Ｓ２００を実施する。
この動物用排泄物処理材の製造方法ＳＡが、本発明に係る「動物用排泄物処理材の製造方法」の一例である。この動物用排泄物処理材の製造装置Ａが、本発明に係る「動物用排泄物処理材の製造装置」の一例である。
【００２０】
造粒部Ａ１００においては、原材料から粒状体が得られる。造粒工程Ｓ１００は、動物用排泄物処理材Ｃ１００の製造方法として、従来より周知の工程を適宜採用しうる。すなわち造粒工程Ｓ１００として、原材料そのものの加工から行う場合がある。このような場合、造粒工程Ｓ１００は、原材料を粉砕する工程や、粉砕された原材料に水などの液体を加えて混練する工程や、所定の形状に造粒する工程を有する。この際、予め粉砕された原材料を使用する場合には、原材料を粉砕する工程を省略することができる。
また、原材料を所定の形状に造粒する工程においては、押出し機により押し出された原材料を所定の長さに切断する加工や、原材料を打錠機により所定の形状とする加工や、回転ドラム中に所定の原材料を収容し、回転ドラムの回転により所定の形状とする加工などを使用することができる。
また、造粒工程Ｓ１００においてベントナイトを主原料とする場合は、ベントナイト原鉱を、レイモンドミル等を用いて粉砕し、その後角取りして粒状体を形成することができる。
なお、粒状体に対し、所望の機能を付加する場合がある。このような場合、粒状体に対し、所望の機能を有する粉体や液体を粒状体に配置する。造粒工程Ｓ１００は、このように所定の形状が得られた粒状体に対する加工を含むものである。
この造粒部Ａ１００が、本発明に係る「造粒部」の一例である。この造粒工程Ｓ１００が、本発明に係る「造粒工程」の一例である。この粒状体が、本発明に係る「粒状体」の一例である。
【００２１】
造粒部Ａ１００で得られた粒状体は、選別部Ａ２００により所定の大きさに選別される。選別部Ａ２００による選別工程Ｓ２００において、所定の大きさであると判断された粒状体は、動物用排泄物処理材Ｃ１００とされる。選別工程Ｓ２００においては、後述する篩Ｂ１００によって粒状体の大きさが選別される。なお、選別工程Ｓ２００によって、不適切であると判断された粒状体は、造粒工程Ｓ１００へと戻される。この選別部Ａ２００が、本発明に係る「選別部」の一例である。この選別工程Ｓ２００が、本発明に係る「選別工程」の一例である。
なお、本発明に係る製造装置Ａおよび製造工程ＳＡは、篩１００の適否を判断し、交換するものである。この際、篩Ｂ１００が不適格な場合とは、篩Ｂ１００が破損している状態や、篩Ｂ１００が目詰まりを起こしている状態があげられる。
【００２２】
選別部Ａ２００を経由した動物用排泄物処理材Ｃ１００は、最終処理部Ａ８００へ送られる。最終処理部Ａ８００による最終処理工程Ｓ８００は、選別工程Ｓ２００の後の全ての工程を実行する。すなわち、収容容器に動物用排泄物処理材Ｃ１００を充填する工程や、動物用排泄物処理材Ｃ１００が充填された収容容器を複数個まとめて配送用の段ボール箱に梱包する工程などを含む。また、選別工程Ｓ２００を経た動物用排泄物処理材Ｃ１００に対し、さらなる加工を施す場合がある。本発明に係る最終処理工程Ｓ８００は、このようなさらなる加工を施す工程も含む。
【００２３】
選別部Ａ２００は、品質管理部Ａ３００を有する。品質管理部Ａ３００による品質管理工程Ｓ３００は、選別工程Ｓ２００の篩Ｂ１００が適切であるか否かにつき判断する。
品質管理部Ａ３００は、抽出部Ａ４００と、比較データ算出部Ａ５００と、篩交換部Ａ７００とを有する。抽出部Ａ４００は抽出工程Ｓ４００を実施し、比較データ算出部Ａ５００は比較データ算出工程Ｓ５００を実施し、篩交換部Ａ７００は篩交換工程Ｓ７００を実施する。なお、抽出部Ａ４００と、比較データ算出部Ａ５００と、篩交換部Ａ７００とにおいて使用される機材を、品質管理機材と称する。
この品質管理部Ａ３００が、本発明に係る「品質管理部」の一例である。この品質管理工程Ｓ３００が、本発明に係る「品質管理工程」の一例である。この品質管理機材が、本発明に係る「品質管理機材」の一例である。
【００２４】
抽出部Ａ３００は、選別部Ａ２００を経た動物用排泄物処理材Ｃ１００の一部から、測定対象であるサンプル（図示せず）を抽出する。比較データ算出部Ａ５００は、サンプルを測定して得た単位数値から比較データを算出する。篩交換部Ａ７００は、比較結果に基づき篩Ｂ１００の交換を行う。
なお、比較データの具体的な例については、図９〜図３４にて示される第１実施パターン〜第１３実施パターンにより後述する。
この抽出部Ａ４００が、本発明に係る「抽出部」の一例である。この比較データ算出部Ａ５００が、本発明に係る「比較データ算出部」の一例である。この篩交換部Ａ７００が、本発明に係る「篩交換部」の一例である。この抽出工程Ｓ４００が、本発明に係る「抽出工程」の一例である。この比較データ算出工程Ｓ５００が、本発明に係る「比較データ算出工程」の一例である。この篩交換部Ｓ７００が、本発明に係る「篩交換部」の一例である。
【００２５】
篩交換工程Ｓ７００において、篩を交換する作業としては種々のものを選択することができる。例えば、表示部により、比較データを文字や図形、記号等にて表示することができる。また、音声発生部により、比較データを音声にて伝達することができる。
この場合、作業者は、比較データを得ることにより選択部Ａ２００の篩Ｂ１００が適切であるかどうかを判断することができる。そして、作業者が、選択部Ａ２００の篩Ｂ１００を適切ではないと判断した場合は、他の篩Ｂ１００へと交換することができる。
よって、第１製造装置Ａ１においては、選択部Ａ２００が適切な篩Ｂ１００を有することができる。したがって、第１製造装置Ａ１は、安定した品質の動物用排泄物処理材Ｃ１００を提供することができる。
【００２６】
（第２製造装置Ａ２）
一方、品質管理部Ａ３００において、自動的に選別部Ａ２００における篩Ｂ１００の適否を判断させることができる。
このような製造装置Ａの例を、図３に基づき説明する。図３に示される第２製造装置Ａ２は、比較データ算出部Ａ５００の次工程として、比較部Ａ６００を有する。比較部Ａ６００は、基準データ記憶部Ａ６２０と比較演算部Ａ６１０を有する。
第２製造装置Ａ２は、第２製造工程を実施する。比較部Ａ６００は、比較工程Ｓ６００を実施する。基準データ記憶部Ａ６２０は、基準データ記憶工程Ｓ６２０を実施する。比較演算部Ａ６１０は、比較演算工程Ｓ６１０を実施する。
この比較部Ａ６００が、本発明に係る「比較部」の一例である。
【００２７】
比較部Ａ６００の基準データ記憶部Ａ６２０は、比較データの適否を判断するための所定数値である基準データが記憶される。
なお、基準データの具体的な例については、図９〜図３４にて示される第１実施パターン〜第１３実施パターンにより後述する。
比較演算部Ａ６１０は、比較データと基準データを比較し、比較データの適否を判断する。
【００２８】
比較部Ａ６００において、比較データが適正であると判断された場合は、選別部Ａ２００の篩Ｂ１００が適切であることを意味する。よって、品質管理工程Ａ３００は、次のサンプルに基づく品質管理工程Ｓ３００を実施する。
一方、比較部Ａ６００によって比較データが適切ではないと判断された場合には、選別部Ａ２００の篩Ｂ１００が適切ではないことを示す。
【００２９】
篩交換部Ａ７００は、比較部Ａからの情報に基づき、篩Ｂ１００を交換する。
第２製造装置Ａ２の篩交換工程Ｓ７００において、篩を交換する作業としては種々のものを選択することができる。例えば、表示部により「選別部Ａ２００の篩Ｂ１００が適切ではない」旨の情報を、文字や図形、記号等にて表示することができる。また、音声発生部により、「選別部Ａ２００の篩Ｂ１００が適切ではない」旨の情報を音声にて伝達することができる。
また、後述するように、比較データと基準データの比較結果に基づき、選別工程Ａ２００の篩Ｂ１００を、目開きの大きい篩Ｂ１００へ変更する旨を伝達することができる。さらに、選別工程Ａ２００の篩Ｂ１００を、目開きの小さい篩Ｂ１００へ変更する旨を伝達することができる。
また、選別部Ａ２００の篩Ｂ１００を、他の篩Ｂ１００へと自動的に交換する装置を用いることもできる。
よって、第２製造装置Ａ２においては、選択部Ａ２００が適切な篩Ｂ１００を有することができる。したがって、第２製造装置Ａ２は、安定した品質の動物用排泄物処理材Ｃ１００を提供することができる。
【００３０】
（比較データ算出部Ａ５００）
次に、図４および図５に基づき、比較データ算出部Ａ５００によって、サンプルから比較データを得る具体的な構成につき説明する。
比較データ算出部Ａ５００は、品質管理機材によってサンプルを計測して、サンプルの単位数値を得る単位数値測定部Ａ５１０と、単位数値測定部Ａ５１０からの単位数値に基づき比較データを得る比較データ演算部Ａ５２０とを有する。比較データ算出部Ａ５００は比較データ算出工程Ｓ５００を実施し、単位数値測定部Ａ５１０は単位数値測定工程Ｓ５１０を実施し、比較データ演算部Ａ５２０は比較データ演算工程Ｓ５２０を実施する。
本発明において、単位数値とは、品質管理機材により得ることが可能な単位数値のことを示す。具体的な単位数値としては、寸法（粒径）、重量などがあげられる。また、単位数値を演算して得られる比較データの具体例としては、寸法（粒径）により求められる表面積や、体積や、体積と使用者によって入力された比重とにより得られる質量（重量）や、表面積と重量とにより得られる単位重量表面積や、体積と重量とにより得られる単位重量体積や、それらの標準偏差などがあげられる。
【００３１】
比較データ算出部Ａ５００の具体例を図４に基づき説明する。比較データ算出部Ａ５００は、単位数値測定部Ａ５１０として第１単位数値測定部Ａ５１１を有する。第１単位数値測定部Ａ５１１は、第１単位数値測定工程Ｓ５１１を実施する。
第１単位数値測定工程Ｓ５１１に使用される品質管理機材としては、所望の単位数値を計測できる機器を使用する。例えば、サンプルの粒子径を単位数値として得たい場合には、日本ルフト株式会社製のデジタル画像解析方式  粒度分布測定装置ＦＰＡを用いることができる。また、サンプルの重量を単位数値として得たい場合には、秤を用いることができる。
【００３２】
また、比較データ算出部Ａ５００として、他の品質管理機材を使用することもできる。図５において、単位数値測定部Ａ５１０として第２単位数値測定部Ａ５１２を使用した例を説明する。第２単位数値測定部Ａ５１２は、第２単位数値測定工程Ｓ５１２を実施する。第２単位数値測定部Ａ５１２は、サンプルの単位数値として粒径を得る。
第２単位数値測定部Ａ５１２は、品質管理機材として測定篩を使用する。測定篩は、複数用いられる。複数の測定篩は、それぞれ異なる目開きを有する。複数の測定篩は、目開きの大きいものから順に、第１測定篩Ａ５１２１、第２測定篩Ａ５１２２、第３測定篩Ａ５１２３、ｎ個目の第ｎ測定篩Ａ５１２ｎとされる。なお、ｎの値は１０程度にて足りるが、ｎの値が大きい（測定篩の数が多い）方が正確な算出のために好ましい。
【００３３】
抽出部Ａ４００から第２単位数値測定部Ａ５１２へは、複数のサンプルが移動される。複数のサンプルは、複数の測定篩の内、目開きの大きいものから順に通過され、大きさが選別される。
この際、目開きが最も大きい第１測定篩Ａ５１２１上に位置していたサンプルの粒径は、第１測定篩Ａ５１２１における目開きの大きさを有するものとみなす。すなわち、第１測定篩Ａ５１２１の目開きが２．８ｍｍの場合は、第１測定篩Ａ５１２１上に位置していたサンプルの粒径を２．８ｍｍとする。
このように、サンプルが位置する測定篩（現在の測定篩）において、その前段に現在の測定篩よりも大きい目開きを有する他の測定篩が存在しない場合は、現在の測定篩の目開きが、測定篩上のサンプルの粒径とみなす。
【００３４】
次に第２測定篩Ａ５１２２上に位置していたサンプルの粒径を算出する。この場合は、第１測定篩Ａ５１２１の目開きと、第２測定篩Ａ５１２２の目開きの平均を、粒径とみなす。すなわち、第２測定篩Ａ５１２１の目開きが２．０ｍｍであるとする。これに対し、第１測定篩Ａ５１２１の目開きは２．８ｍｍである。よって、第２測定篩Ａ５１２２上に位置するサンプルの直径は、２．４ｍｍとされる。
このように、現在の測定篩の前段に、当該現在の測定篩よりも大きい目開きを有する測定篩が存在する場合は、現在の測定篩の目開きと、その前段の測定篩の目開きの平均をサンプルの粒径とみなす。これをさらに例示すると、第２測定篩Ａ５１２２の目開きが２．０ｍｍであるのに対し、第３測定篩Ａ５１２３の目開きが１．７ｍｍであるとする。この場合、第３測定篩Ａ５１２３上に位置するサンプルの粒径は、第２測定篩Ａ５１２２が有する目開きの数値と、第３測定Ａ５１２３が有する目開きの数値の平均である、１．８５ｍｍとされる。
なお、最後の測定篩である第ｎ測定篩Ａ５１２ｎを通過したサンプルの粒径は、第ｎ測定篩Ｓ３２１ｎの半分の値を粒径とみなす。
このようにして、サンプルの単位数値として、粒径を得ることができる。
【００３５】
（篩交換部Ａ７２０）
次に、篩交換部Ａ７００の概要を図６に基づき説明する。図６は、選別部Ａ２００と、篩交換部Ａ７００の関係を示す説明図である。上述の通り、選別部Ａ２００においては、篩Ｂ１００が使用される。篩Ｂ１００は、選別部Ａ２００において稼働されている使用篩Ｂ１１０と、篩交換部Ａ７００において準備されている準備篩Ｂ１２０とを有する。準備篩Ｂ１２０は、使用篩Ｂ１１０とは異なる目開きを有する。篩交換部Ａ７００において準備される準備篩Ｂ１２０は、その数を問わない。すなわち、単一でもよく、複数でも良い。図６においては、４つの準備篩Ｂ１２０が準備されている。
この篩Ｂ１００が、本発明に係る「篩」の一例である。この使用篩Ｂ１１０が、本発明に係る「使用篩」の一例である。この準備篩Ｂ１２０が、本発明に係る「準備篩」の一例である。
【００３６】
なお、上述の通り、準備篩Ｂ１２０は、使用篩Ｂ１１０とは異なる目開きを有する。この「異なる目開き」とは、準備篩Ｂ１２０と使用篩Ｂ１１０とにおける目開きの規格が異なることを含む。また、使用篩Ｂ１１０において破損や目詰まりを生じている場合、使用篩Ｂ１１０は、規格通りの機能を奏することができない。よって、このような場合は、使用中篩Ｂ１１０と準備篩Ｂ１２０の目開きが同一の規格を有しているとしても、互いに異なる目開きを有しているものとされる。
【００３７】
（第３製造装置Ａ３）
本発明に係る製造装置Ａは、使用篩Ｂ１１０を準備中篩Ｂ１２０に交換することにより、動物用排泄物処理材Ｃ１００の品質を向上させることができる。そこで、この本発明に係る製造工程Ａ１００に特有の効果に着目し、新たな製造工程を得ることができる。
【００３８】
例えば、ユーザが動物用排泄物処理材Ｃ１００を使用するに際し、異なる単位数値を有する動物用排泄物処理材Ｃ１００が混在していた方が、使い勝手が良い場合がある。
このように異なる単位数値を有する動物用排泄物処理材Ｃ１００の集合体にあっては、当然のことながら一定の品質を満たす必要がある。例えば、この「一定の品質」は、一方の基準データを満たす動物用排泄物処理材Ｃ１００と、他方の基準データを満たす動物用排泄物処理材Ｃ１００とを所定の割合で混合することにより達成することができる。
なお、一方の基準データを満たす動物用排泄物処理材Ｃ１００と、他方の基準データを満たす動物用排泄物処理材は、同様の原材料によるものでもよいし、それぞれ異なる原材料によるものでもよい。
【００３９】
本発明によれば、篩Ｂ１００の目開きと、製造すべき動物用排泄物処理材Ｃ１００の基準データとを関連付けることが可能である。すなわち、異なる目開きを有する複数の篩Ｂ１００に対し、それぞれ異なる基準データを満たす動物用排泄物処理材Ｃ１００を関連付けることが可能となる。
以下、図７および図８に基づき、複数の使用篩Ｂ１１０を使用した動物用排泄物処理材Ｃ１００の製造工程につき説明する。
【００４０】
本発明に係る動物用排泄物処理材の製造装置Ａにおける第３製造装置Ａ３を、図７に基づき説明する。第３製造装置Ａ３は、第３製造工程ＳＡ３を実施する。
第３製造装置Ａ３は、複数の造粒部Ａ１００と、複数の選別部Ａ２００と、複数の品質管理部Ａ３００を有する。そして、複数の造粒部Ａ１００と、複数の選別部Ａ２００と、複数の品質管理部Ａ３００は、同時に稼働される。
【００４１】
すなわち、図７において、第３製造装置Ａ３は、造粒部Ａ１００として第１造粒部Ａ１０１と、第２造粒部Ａ１０２を有する。また、第３製造装置Ａ３は、選別部Ａ２００として第１選別部Ａ２０１と、第２選別部Ａ２０２を有する。また、第３製造装置Ａ３は、品質管理部Ａ３００として、第１品質管理部Ａ３０１と、第２品質管理部Ａ３０２を有する。
【００４２】
第１造粒部Ａ１０１にて造粒された粒状物は、第１選別部Ａ２０１により選別される。第１選別部Ａ２０１により選別された粒状体は、第１動物用排泄物処理材（図示せず）とされる。第１品質管理部Ａ３０１は、第１動物用排泄物処理材に基づき第１選別部Ａ２０１における使用篩Ｂ１１０の適否を判断する。本発明において、第１造粒部Ａ１０１と、第１選別部Ａ２０１と、第１品質管理部Ａ３０１とを、第１粒状体取得部ＡＡと称する。第１粒状体取得部ＡＡは、第１粒状体取得工程ＳＡＡを実施する。
【００４３】
第２造粒部Ａ１０２にて造粒された粒状物は、第２選別部Ａ２０２により選別される。第２選別部Ａ２０２により得られた粒状体は、第２動物用排泄物処理材（図示せず）とされる。第２品質管理部Ａ３０２は、第２動物用排泄物処理材に基づき第２選別部Ａ２０２における使用篩Ｂ１１０の適否を判断する。本発明において、第２造粒部Ａ１０２と、第２選別部Ａ２０２と、第２品質管理部Ａ３０２とを、第２粒状体取得部ＡＢと称する。第２粒状体取得部ＡＢは、第２粒状体取得工程ＳＡＢを実施する。
【００４４】
第１選別部Ａ２０１と第２選別Ａ２０２に使用されている使用篩Ｂ１１０は、それぞれ異なる目開きを有する。第１選別部Ａ２０１で使用される使用篩Ｂ１１０を第１使用篩（図示せず）とし、第２選別部Ａ２０２で使用される使用篩Ｂ１１０を第２使用篩（図示せず）とする。
第１動物用排泄物処理材と第２動物用排泄物処理材は、最終処理部Ａ８００へと送られる。最終処理部Ａ８００は、第１動物用排泄物処理材と第２動物用排泄物処理材とを所定の割合にて混合する混合部Ａ８１０を有する。混合部Ａ８１０は、混合工程Ｓ８１０を実施する。
このようにして、異なる基準データを満たす動物用排泄物処理材Ｃ１００を、所定の割合にて混在させた製品を、一定の品質にて提供することが可能となる。
【００４５】
（第４製造装置Ａ４）
本発明に係る動物用排泄物処理材の製造装置Ａにおける第４製造装置Ａ４を、図８に基づき説明する。第４製造装置Ａ４は、第４製造工程ＳＡ４を実施する。
第４製造装置Ａ４において、造粒部Ａ１００と、選別部Ａ２００と、品質管理部Ａ３００とは、機械設備的には単一のものである。ここで、第１使用篩を選別部Ａ２００にて使用した場合、造粒部Ａ１００と、選別部Ａ２００と、品質管理部Ａ３００とは上述した第１粒状体取得部ＡＡを形成する。また、第２使用篩を選別部Ａ２００にて使用した場合、粒部Ａ１００と、選別部Ａ２００と、品質管理部Ａ３００とは上述した第２粒状体取得部ＡＢを形成する。
【００４６】
第１粒状体取得部ＡＢにより得られた第１動物用排泄物処理材は、保管部Ａ９００にて保管される。所定の第１動物用排泄物処理材を製造した後、第１使用篩は、第２使用篩へと交換される。これによって、第１粒状体取得部ＡＡは、第２粒状体取得部ＡＢとされる。第２粒状体取得部ＡＢにより得られた第２動物用排泄物処理材は、保管部Ａ９００にて保管されていた第１動物用排泄物処理材とともに、最終処理部Ａ８００へ送られる。そして、第１動物用排泄物処理材と、第２動物用排泄物処理材とは、最終処理部Ａ８００の混合部Ａ８１０によって、所定の割合にて混合される。
このようにして、異なる比較データを有する動物用排泄物処理材Ｃ１００を所定の割合にて混在させた製品を、一定の品質にて提供することが可能となる。
【００４７】
上述の通り、全体基本形態にて説明した動物用排泄物処理材の製造方法および製造装置にあっては、品質の安定した動物用排泄物処理材Ｃ１００を提供することが可能となる。この場合、品質が安定するとは、動物用排泄物処理材Ｃ１００の粒径が安定することを示す。すなわち、本発明によれば動物用排泄物処理材Ｃ１００の粒径のバラつきが少なくなるものであり、動物用排泄物処理材Ｃ１００に係る所望の計測単位に基づく標準偏差を小さくすることが可能となる。
【００４８】
（実施パターン）
本発明に係る第１実施パターン〜第１４実施パターンを、図９〜図３６に基づき説明する。実施パターンは、比較データ算出部Ａ５００にて得られる比較データの種類により、第１形態〜第３形態に大別される。第１形態は、比較データとして単位重量表面積が使用される。第２形態は、比較データとして表面積が使用される。第３形態は、比較データとして標準偏差が使用される。また、第４形態として、混合部Ａ８１０に混合物品質管理部Ａ３０３を設けた構成を説明する。
なお、第１形態〜第４形態の説明において、上述した全体基本形態と同一の構成や工程においては、同一の名称、図面符号を付しその説明を省略する。
【００４９】
（第１形態）
本発明の第１形態に係る動物用排泄物処理材の製造方法および製造装置を、図９〜図１６に基づき説明する。第１形態に係る動物用排泄物処理材の製造方法および製造装置は、第１実施パターン〜第５実施パターンに基づき説明される。
第１形態においては、比較データ算出部Ａ５００により得られる比較データとして、単位重量表面積が使用される。したがって、基準データは単位重量表面積が使用される。
【００５０】
まず、比較データとして、サンプルの単位重量表面積を比較データ算出部Ａ５００にて得る工程につき説明する。上述の通り、比較データ算出部Ａ５００の単位数値測定部Ａ５１０にて、動物用排泄物処理材Ｃ１００の単位数値が得られる。この際、単位数値として「粒径」を得る。この際、「粒径」が測定されたサンプルの個数を計測し、記憶する。
比較データ演算部Ａ５２０は、所定の形状として仮定された基準形状を準備する。この基準形状は、球体とされる。
比較データ演算部Ａ５２０は、比較データ算出部Ａ５００にて得られた粒径に基づき「サンプルの半径ｒ」を得る。そして、サンプルの半径ｒを、球体である基準形状に充当する。そして、球体の表面積を求める公式（球体の表面積＝４πｒ２）に基づき、サンプルの表面積を得る。
さらに、比較データ演算部Ａ５２０は、サンプルの体積を得る。すなわち、サンプルの半径ｒを、球体である基準形状に充当する。そして、球体の体積を求める公式（球体の体積＝４／３πｒ３）に基づき、サンプルの体積を得る。
さらに、比較データ演算部Ａ５２０は、サンプルの体積から、サンプルの重量（質量）を得る。この場合、比較データ演算部Ａ５２０に、サンプルにおける比重が入力される。このサンプルの比重と、サンプルの体積を積算することにより、サンプルの重量が得られる。
さらに、比較データ演算部Ａ５２０は、サンプルの表面積を、サンプルの重量で除する。このようにして、比較データとしてのサンプルにおける単位重量表面積が得られる。
この際、比較データは、複数のサンプル単位重量表面積の平均値とされる。この「複数のサンプル単位重量表面積の平均値」を、「平均サンプル単位重量表面積」と称する。一方、比較データは、サンプル毎における個々の単位重量表面積とすることもできる。この「サンプル毎における個々の単位重量表面積」を、「個別サンプル単位重量表面積」と称する。
【００５１】
基準データとして使用される単位重量表面積は、任意の所定数値となる。この点において、基準データを、使用篩Ｂ１００が適切である状態における動物用排泄物処理材Ｃ１００から得た単位重量表面積とすることもできる。
基準データは、所定の数値範囲を有することができる。また、基準データは、数値範囲を有さないことができる。数値範囲を有さないとは、単一の固定された数値であることを示す。
基準データは、比較部Ａ６００における基準データ記憶部Ａ６２０に入力され、記憶される。
【００５２】
（第１実施パターン）
第１実施パターンに係る動物用排泄物処理材の製造方法ＳＡおよび製造装置Ａを、図９
および図１０に基づき説明する。第１実施パターンにおいては、比較データとして「平均サンプル単位重量表面積」が使用される。平均サンプル単位重量表面積は、比較データ算出部Ａ５００における比較データ演算部Ａ５２０により得られる。第１実施パターンにおける比較データ演算部Ａ５２０は、第１比較データ演算部Ａ５２１とされる。
【００５３】
第１実施パターンに係る動物用排泄物処理材の製造方法ＳＡおよび製造装置Ａにおいては、比較部Ａ６００の比較演算部Ａ６１０によって、第１比較演算工程Ｓ６１１が実施される。第１比較演算工程Ｓ６１１は、まず、第１演算処理Ｓ６１１１として、比較演算部Ａ６１０に平均サンプル単位重量表面積を入力する。次に、第２演算処理Ｓ６１１２として、平均サンプル単位重量表面積を、篩交換工程Ａ７００に伝達する。この結果、作業者は比較データにより、選別部Ａ２００の使用篩Ｂ１１０の状況を把握することができる。さらに、作業者は、比較データにより篩Ｂ１１０が不適格であると判断した場合は、使用篩Ｂ１１０を準備篩Ｂ１２０と交換することができる。
【００５４】
このようにして、第１実施パターンに係る動物用排泄物処理材の製造方法および製造装置においては、比較データに基づき、選別部Ａ２００の使用篩Ｂ１１０を準備篩Ｂ１２０へと交換することができる。よって、製造される動物用排泄物処理材Ｃ１００の品質を、安定させることができる。
【００５５】
（第２実施パターン）
第２実施パターンに係る動物用排泄物処理材の製造方法ＳＡおよび製造装置Ａを、図１１および図１２に基づき説明する。第２実施パターンにおいては、比較データとして「平均サンプル単位重量表面積」が使用され、基準データとして「所定の数値範囲を有する基準単位重量表面積」が使用される。平均サンプル単位重量表面積は、比較データ算出部Ａ５００における比較データ演算部Ａ５２０により得られる。第２実施パターンにおける比較データ演算部Ａ５２０は、第２比較データ演算部Ａ５２２とされる。基準データは、比較工程Ａ６００の基準データ記憶部Ａ６２０に記憶される。
【００５６】
第２実施パターンに係る動物用排泄物処理材の製造方法ＳＡおよび製造装置Ａにおいては、比較部Ａ６００の比較演算部Ａ６１０によって、第２比較演算工程Ｓ６１２が実施される。第１比較演算工程Ｓ６１２は、まず、第１演算処理Ｓ６１２１として、比較演算部Ａ６１０に平均サンプル単位重量表面積と、所定の範囲を有する基準単位重量表面積とを入力する。次に、第２演算処理Ｓ６１２２として、平均サンプル単位重量表面積が、基準単位重量表面積の所定の数値範囲内に入っているか否かが判断される。この第２演算処理Ｓ６１２２の結果、平均サンプル単位重量表面積が、基準単位重量表面積の所定の数値範囲内であると判断された場合は、終了処理がなされる。第２演算処理Ｓ６１２２の終了処理により第２比較演算工程Ｓ６１２はリセットされ、次の平均サンプル単位重量表面積に基づく第１演算処理Ｓ６１２１が行われる。
【００５７】
一方、第２演算処理Ｓ６１２２において、平均サンプル単位重量表面積が、基準単位重量表面積の所定の数値範囲内に入らないと判断された場合は、第３演算処理Ｓ６１２３が行われる。
第３演算処理Ｓ６１２３においては、平均サンプル単位重量表面積が、基準単位重量表面積の所定の数値範囲における上限を超えているかどうかが判断される。平均サンプル単位重量表面積が、基準単位重量表面積の所定の数値範囲における上限を超えていないと判断された場合は、平均サンプル単位重量表面積が基準単位重量表面積の所定の数値範囲における下限を超えていることとなる。この場合は、動物用排泄物処理材Ｃ１００の単位重量表面積が、所望する単位重量表面積よりも小さいことを意味する。
この場合は、次に第４演算処理Ｓ６１２４が実施される。この第４演算処理Ｓ６１２４は、篩交換部Ａ７００に対し、使用篩Ｂ１１０を、使用篩Ｂ１１０よりも大きい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００５８】
一方、第３演算処理Ｓ６１２３においては、平均サンプル単位重量表面積が、基準単位重量表面積の所定の数値範囲における上限を超えていると判断された場合は、動物用排泄物処理材Ｃ１００の単位重量表面積が、所望する単位重量表面積よりも大きいことを意味する。
この場合は、次に第５演算処理Ｓ６１２５が実施される。この第５演算処理６１２５は、篩交換部Ａ７００に対し、使用篩Ｂ１１０を、使用篩Ｂ１１０よりも小さい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【００５９】
このようにして、第２実施パターンに係る動物用排泄物処理材の製造方法および製造装置においては、比較データとして平均サンプル単位重量表面積を使用し、基準データとして所定の数値範囲を有する基準単位重量表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第３演算処理Ｓ６１２３においては、平均サンプル単位重量表面積が、基準単位重量表面積が有する所定の範囲の「上限」を超えているかどうかにつき判断した。一方、第３演算処理Ｓ６１２３は、平均サンプル単位重量表面積が、基準単位重量表面積が有する所定の範囲の「下限」を超えているかどうかにつき判断することも可能である。さらに、第３演算処理Ｓ６１２３は、平均サンプル単位重量表面積が、基準単位重量表面積が有する所定の範囲の「上限を超えているか」と「下限を超えているか」を、同時に演算することも可能である。
【００６０】
（第３実施パターン）
第３実施パターンに係る動物用排泄物処理材の製造方法ＳＡおよび製造装置Ａを、図１３および図１４に基づき説明する。第３実施パターンにおいては、比較データとして「個別サンプル単位重量表面積」が使用され、基準データとして「所定の数値範囲を有する基準単位重量表面積」が使用される。個別サンプル単位重量表面積は、比較データ算出部Ａ５００における比較データ演算部Ａ５２０により得られる。第３実施パターンにおける比較データ演算部Ａ５２０は、第３比較データ演算部Ａ５２３とされる。基準データは、比較工程Ａ６００の基準データ記憶部Ａ６２０に記憶される。
【００６１】
第３実施パターンに係る動物用排泄物処理材の製造方法ＳＡおよび製造装置Ａにおいては、比較部Ａ６００の比較演算部Ａ６１０において、第３比較演算工程Ｓ６１３が実施される。第３比較演算工程Ｓ６１３は、まず、第１演算処理Ｓ６１３１として、比較演算部Ａ６１０に個別サンプル単位重量表面積と、所定の数値範囲を有する基準単位重量表面積とを入力する。次に、第２演算処理Ｓ６１３２として、個別サンプル単位重量表面積が、基準単位重量表面積の所定の数値範囲内に入っているかどうかが判断される。この際、個別サンプル単位重量表面積の個数が計測されるとともに記憶される。さらに、個別サンプル単位重量表面積が、基準単位重量表面積の所定の数値範囲に入っている個数と、基準単位重量表面積の所定の数値範囲における上限を超えている個数と、基準単位重量表面積の所定の数値範囲における下限を超えている個数とが計測されるとともに記憶される。さらに、個別サンプル単位重量表面積が基準単位重量表面積の所定の数値範囲内に入っている個数と、個別サンプル単位重量表面積が基準単位重量表面積の所定の数値範囲に入っていない個数とが計測されるとともに記憶される。
【００６２】
次に、第３演算処理Ｓ６１３３として、個別サンプル単位重量表面積と基準単位重量表面積とを比較した個数が、所定値に達したか否かにつき判断される。個別サンプル単位重量表面積と基準単位重量表面積とを比較した個数が所定値に達していない場合は、個別サンプル単位重量表面積と基準単位重量表面積とを比較した個数が所定値に達するまで第２演算処理Ｓ６１３２が行われる。一方、個別サンプル単位重量表面積と基準単位重量表面積とを比較した個数が所定値に達した場合は、第４演算処理Ｓ６１３４が行われる。
【００６３】
第４演算処理Ｓ６１３４は、個別サンプル単位重量表面積が、基準単位重量表面積の所定の数値範囲内に合致した個数が比較される。個別サンプル単位重量表面積が、基準単位重量表面積の所定の数値範囲内に合致した個数が、所定の数値以上の場合は、選別部Ａ２００の使用篩Ｂ１１０が適正であると判断される。第４演算処理Ｓ６１３４の終了処理により第３比較演算工程Ｓ６１３はリセットされ、次の平均サンプル単位重量表面積に基づく第１演算処理Ｓ６１３１が行われる。
【００６４】
一方、第４演算処理Ｓ６１３４において、個別サンプル単位重量表面積が、基準単位重量表面積の所定の数値範囲内に合致した個数が、所定の数値以下の場合は、第５演算処理Ｓ６１３５が行われる。
第５演算処理Ｓ６１３５においては、基準単位重量表面積の上限を超えた個別サンプル単位重量表面積の個数と、標準単位重量表面積の下限を超えた個別サンプル単位重量表面積の個数とが比較される。基準単位重量表面積の上限を超えた個別サンプル単位重量表面積の個数が少ないと判断された場合は、動物用排泄物処理材Ｃ１００の単位重量表面積が、所望する単位重量表面積よりも小さいことを意味する。
この場合は、次に第６演算処理Ｓ６１３６が行われる。第６演算処理Ｓ６１３６は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００６５】
一方、第５演算処理Ｓ６１３５において、基準単位重量表面積の上限を超えた個別サンプル単位重量表面積の個数が少ないと判断された場合は、動物用排泄物処理材Ｃ１００の単位重量表面積が、所望する単位重量表面積よりも大きいことを意味する。
この場合は、次に第７演算処理Ｓ６１３６が行われる。第７演算処理Ｓ６１３７は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【００６６】
このようにして、第３実施パターンに係る動物用排泄物処理材の製造方法および製造装置においては、比較データとして個別サンプル単位重量表面積を使用し、基準データとして所定の数値範囲を有する基準単位重量表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第３実施パターンにおいては、個別サンプル単位重量表面積の「個数」に基づく判断を行った。一方、例えば、測定された個別サンプル単位重量表面積における、基準単位重量表面積の所定の範囲に入ったものの「割合」や、基準単位重量表面積の上限を超えたものと基準単位重量表面積の下限を超えたものの「割合」を、判断における基準とすることも可能である。
【００６７】
（第４実施パターン）
第４実施パターンに係る動物用排泄物処理材の製造方法ＳＡおよび製造装置Ａを、図１５および図１６に基づき説明する。第４実施パターンにおいては、比較データとして「平均サンプル単位重量表面積」が使用され、基準データとして「固定された数値を有する基準単位重量表面積」が使用される。なお、基準単位重量表面積を「固定された数値に基づく基準単位重量表面積」とした場合は、上述した第２実施パターンおよび第３実施パターンにおける「所定の数値範囲を有する基準単位重量表面積」と比較して、適正で無いと判断されるサンプル単位重量表面積が増加する傾向にある。したがって、基準データとして「固定された数値を有する標準単位重量表面積」を使用することは、単位重量表面積の均一性が強く求められる動物用排泄物処理材Ｃ１００を得る際に、好適となる。
平均サンプル単位重量表面積は、比較データ算出部Ａ５００における比較データ演算部Ａ５２０により得られる。第４実施パターンにおける比較データ演算部Ａ５２０は、第４比較データ演算部Ａ５２４とされる。基準データは、比較工程Ａ６００の基準データ記憶部Ａ６２０に記憶される。
【００６８】
第４実施パターンに係る動物用排泄物処理材の製造方法ＳＡおよび製造装置Ａにおいては、比較部Ａ６００の比較演算部Ａ６１０において、第４比較演算工程Ｓ６１４が実施される。第４比較演算工程Ｓ６１４は、まず、第１演算処理Ｓ６１４１として、比較演算部Ａ６１０に平均サンプル単位重量表面積と、所定の固定数値を有する基準単位重量表面積とを入力する。次に、第２演算処理Ｓ６１４２として、平均サンプル単位重量表面積が、基準単位重量表面積の固定数値と合致しているか否かが判断される。この第２演算処理Ｓ６１４２の結果、平均サンプル単位重量表面積が、基準単位重量表面積の固定数値と合致すると判断された場合は、終了処理がなされる。第２演算処理Ｓ６１４２の終了処理により第４比較演算工程Ｓ６１４はリセットされ、次の平均サンプル単位重量表面積に基づく第１演算処理Ｓ６１４１が行われる。
【００６９】
一方、第２演算処理Ｓ６１４２において、平均サンプル単位重量表面積が、基準単位重量表面積の固定数値と合致しないと判断された場合は、第３演算処理Ｓ６１４３が行われる。
第３演算処理Ｓ６１４３においては、平均サンプル単位重量表面積が、基準単位重量表面積の固定数値より大きいか否かが判断される。平均サンプル単位重量表面積が、基準単位重量表面積の固定数値を超えていないと判断された場合は、平均サンプル単位重量表面積が基準単位重量表面積の固定数値よりも小さいこととなる。この場合は、動物用排泄物処理材Ｃ１００の単位重量表面積が、所望する単位重量表面積よりも小さいことを意味する。
この場合は、次に第４演算処理Ｓ６１４４が行われる。第４演算処理Ｓ６１４４は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００７０】
一方、第３演算処理Ｓ６１４３において、平均サンプル単位重量表面積が、基準単位重量表面積の固定数値を超えていると判断された場合は、動物用排泄物処理材Ｃ１００の単位重量表面積が、所望する単位重量表面積よりも大きいことを意味する。
この場合は、次に第５演算処理Ｓ６１４５が行われる。第５演算処理Ｓ６１４５は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【００７１】
このようにして、第４実施パターンに係る動物用排泄物処理材の製造方法および製造装置においては、比較データとして平均サンプル単位重量表面積を使用し、基準データとして固定された数値を有する基準単位重量表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第３演算処理Ｓ６１４３においては、平均サンプル単位重量表面積が、基準単位重量表面積の固定数値よりも大きいか否かにつき判断した。一方、第３演算処理Ｓ６１４３は、平均サンプル単位重量表面積が、基準単位重量表面積が有する固定数値よりも小さいか否かにつき判断することも可能である。
【００７２】
（第５実施パターン）
第５実施パターンに係る動物用排泄物処理材の製造方法ＳＡおよび製造装置Ａを、図１７および図１８に基づき説明する。第５実施パターンにおいては、比較データとして「個別サンプル単位重量表面積」が使用され、基準データとして「固定された数値を有する基準単位重量表面積」が使用される。
個別サンプル単位重量表面積は、比較データ算出部Ａ５００における比較データ演算部Ａ５２０により得られる。第５実施パターンにおける比較データ演算部Ａ５２０は、第５比較データ演算部Ａ５２５とされる。基準データは、比較工程Ａ６００の基準データ記憶部Ａ６２０に記憶される。
【００７３】
第５実施パターンに係る動物用排泄物処理材の製造方法ＳＡおよび製造装置Ａにおいては、比較部Ａ６００の比較演算部Ａ６１０において、第５比較演算工程Ｓ６１５が実施される。第５比較演算工程Ｓ６１５は、まず、第１演算処理Ｓ６１５１として、比較演算部Ａ６１０に個別サンプル単位重量表面積と、基準単位重量表面積の固定数値とを入力する。次に、第２演算処理Ｓ６１５２として、個別サンプル単位重量表面積が、基準単位重量表面積の固定数値と合致しているか否が判断される。この際、個別サンプル単位重量表面積の個数が計測されるとともに記憶される。さらに、個別サンプル単位重量表面積が、基準単位重量表面積の固定数値と合致している個数と、基準単位重量表面積の固定数値よりも大きいものの個数と、基準単位重量表面積の固定数値よりも小さいものの個数とが計測されるとともに記憶される。さらに、個別サンプル単位重量表面積が基準単位重量表面積の固定数値に合致している個数と、個別サンプル単位重量表面積が基準単位重量表面積の固定数値に合致していない個数とが計測されるとともに記憶される。
【００７４】
次に、第３演算処理Ｓ６１５３として、個別サンプル単位重量表面積と基準単位重量表面積とを比較した個数が、所定値に達したか否かにつき判断される。個別サンプル単位重量表面積と基準単位重量表面積とを比較した個数が所定値に達していない場合は、個別サンプル単位重量表面積と基準単位重量表面積とを比較した個数が所定値に達するまで第２演算処理Ｓ６１５２が行われる。一方、個別サンプル単位重量表面積と基準単位重量表面積とを比較した個数が所定値に達した場合は、第４演算処理Ｓ６１５４が行われる。
【００７５】
第４演算処理Ｓ６１５４は、個別サンプル単位重量表面積が、基準単位重量表面積の固定数値に合致した個数が比較される。個別サンプル単位重量表面積が、基準単位重量表面積の固定数値所定の数値に合致した個数が、所定の数値以上の場合は、選別部Ａ２００の使用篩Ｂ１１０が適正であると判断される。この場合、第４演算処理Ｓ６１５４は終了処理を行う。第４演算処理Ｓ６１５４の終了処理により第５比較演算工程Ｓ６１５はリセットされ、次の平均サンプル単位重量表面積に基づく第１演算処理Ｓ６１５１が行われる。
【００７６】
一方、第４演算処理Ｓ６１５４において、個別サンプル単位重量表面積が、基準単位重量表面積の固定数値に合致した個数が、所定の数値以下の場合は、第５演算処理Ｓ６１５５が行われる。
第５演算処理Ｓ６１５５においては、基準単位重量表面積の固定数値より大きい個別サンプル単位重量表面積の個数と、基準単位重量表面積の固定数値より小さい個別サンプル単位重量表面積の個数とが比較される。基準単位重量表面積より大きい個別サンプル単位重量表面積の個数が少ない場合は、動物用排泄物処理材Ｃ１００の単位重量表面積が、所望する単位重量表面積よりも小さいことを意味する。
この場合は、次に第６演算処理Ｓ６１５６が行われる。第６演算処理Ｓ６１５６は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００７７】
一方、第５演算処理Ｓ６１５５において、基準単位重量表面積の固定値よりも大きい個別サンプル単位重量表面積の数が少ないと判断された場合は、動物用排泄物処理材Ｃ１００の単位重量表面積が、所望する単位重量表面積よりも大きいことを意味する。
この場合は、次に第７演算処理Ｓ６１５７が行われる。第７演算処理Ｓ６１５７は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００７８】
このようにして、第５実施パターンに係る動物用排泄物処理材の製造方法および製造装置においては、比較データとして個別サンプル単位重量表面積を使用し、基準データとして固定された数値を有する基準単位重量表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第５実施パターンにおいては、個別サンプル単位重量表面積の「個数」に基づく判断を行った。一方、例えば、測定された個別サンプル単位重量表面積における、基準単位重量表面積と合致したものの「割合」や、基準単位重量表面積よりも大きいものと基準単位重量表面積よりも小さいものの「割合」を、判断における基準とすることも可能である。
【００７９】
（第２形態）
本発明の第２形態に係る動物用排泄物処理材の製造方法および製造装置を、図１９〜図２８に基づき説明する。第２形態に係る動物用排泄物処理材の製造方法および製造装置は、第６実施パターン〜第１０実施パターンに基づき説明される。
第２形態においては、比較データ算出部Ａ５００により得られる比較データとして、表面積が使用される。したがって、比較部Ａ６００にて、比較データと比較される基準データとしても表面積が使用される。
【００８０】
まず、比較データとして、サンプルの表面積を比較データ算出部Ａ５００にて得る工程につき説明する。上述の通り、比較データ算出部Ａ５００の単位数値測定部Ａ５１０にて、動物用排泄物処理材Ｃ１００の単位数値が得られる。この際、単位数値として「粒径」を得る。この際、「粒径」が測定されたサンプルの個数を計測し、記憶する。
比較データ演算部Ａ５２０は、所定の形状として仮定された基準形状を準備する。この基準形状は、球体とされる。比較データ演算部Ａ５２０は、比較データ算出部Ａ５００にて得られた粒径に基づき「サンプルの半径ｒ」を得る。そして、サンプルの半径ｒを、球体である基準形状に充当する。そして、球体の表面積を求める公式（球体の表面積＝４πｒ２）に基づき、表面積を得る。本発明においては、この基準形状に基づく表面積を、サンプルの表面積とする。
この際、比較データは、複数のサンプル表面積の平均値とされる。この「複数のサンプル表面積の平均値」を、「平均サンプル単位重量表面積」と称する。一方、比較データは、サンプル毎における個々の表面積とすることもできる。この「サンプル毎における個々の表面積」を、「個別サンプル表面積」と称する。
【００８１】
基準データとして使用される表面積は、任意の所定数値となる。この点において、基準データを、使用篩Ｂ１００が適切である状態における動物用排泄物処理材Ｃ１００から得た表面積とすることもできる。
基準データは、所定の数値範囲を有することができる。また、基準データは、数値範囲を有さないことができる。数値範囲を有さないとは、単一の固定された数値を示す。
基準データは、比較部Ａ６００における基準データ記憶部Ａ６２０に入力され、記憶される。
【００８２】
（第６実施パターン）
第６実施パターンに係る動物用排泄物処理材の製造方法ＳＡおよび製造装置Ａを、図１９および図２０に基づき説明する。第６実施パターンにおいては、比較データとして「平均サンプル表面積」が使用される。平均サンプル表面積は、比較データ算出部Ａ５００における比較データ演算部Ａ５２０により得られる。第６実施パターンにおける比較データ演算部Ａ５２０は、第６比較データ演算部Ａ５２６とされる。
【００８３】
第６実施パターンに係る動物用排泄物処理材の製造方法ＳＡおよび製造装置Ａにおいては、比較部Ａ６００の比較演算部Ａ６１０によって、第６比較演算工程Ｓ６１６が実施される。第６比較演算工程Ｓ６１６は、まず、第１演算処理Ｓ６１６１として、比較演算部Ａ６１０に平均サンプル表面積を入力する。次に、第２演算処理Ｓ６１６２として、平均サンプル表面積を、篩交換工程Ａ７００に伝達する。この結果、作業者は比較データにより、選別部Ａ２００の使用篩Ｂ１１０の状況を把握することができる。さらに、作業者は、比較データにより篩Ｂ１１０が不適格であると判断した場合は、使用篩Ｂ１１０を準備篩Ｂ１２０と交換することができる。
【００８４】
このようにして、第６実施パターンに係る動物用排泄物処理材の製造方法および製造装置においては、比較データに基づき、選別部Ａ２００の使用篩Ｂ１１０を準備篩Ｂ１２０へと交換することができる。よって、製造される動物用排泄物処理材Ｃ１００の品質を、安定させることができる。
【００８５】
（第７実施パターン）
第７実施パターンに係る動物用排泄物処理材の製造方法ＳＡおよび製造装置Ａを、図２１および図２２に基づき説明する。第７実施パターンにおいては、比較データとして「平均サンプル表面積」が使用され、基準データとして「所定の数値範囲を有する基準表面積」が使用される。平均サンプル表面積は、比較データ算出部Ａ５００における比較データ演算部Ａ５２０により得られる。第７実施パターンにおける比較データ演算部Ａ５２０は、第７比較データ演算部Ａ５２７とされる。基準データは、比較工程Ａ６００の基準データ記憶部Ａ６２０に記憶される。
【００８６】
第７実施パターンに係る動物用排泄物処理材の製造方法ＳＡおよび製造装置Ａにおいては、比較部Ａ６００の比較演算部Ａ６１０によって、第７比較演算工程Ｓ６１７が実施される。第６比較演算工程Ｓ６１７は、まず、第１演算処理Ｓ６１７１として、比較演算部Ａ６１０に平均サンプル表面積と、所定の範囲を有する基準表面積とを入力する。次に、第２演算処理Ｓ６１７２として、平均サンプル表面積が、基準表面積の所定の数値範囲内に入っているか否かが判断される。この第２演算処理Ｓ６１７２の結果、平均サンプル表面積が、基準表面積の所定の数値範囲内であると判断された場合は、終了処理がなされる。第２演算処理Ｓ６１７２の終了処理により第７比較演算工程Ｓ６１７はリセットされ、次の平均サンプル表面積に基づく第１演算処理Ｓ６１７１が行われる。
【００８７】
一方、第２演算処理Ｓ６１７２において、平均サンプル表面積が、基準表面積の所定の数値範囲内に入らないと判断された場合は、第３演算処理Ｓ６１７３が行われる。
第３演算処理Ｓ６１７３においては、平均サンプル表面積が、基準表面積の所定の数値範囲における上限を超えているかどうかが判断される。平均サンプル表面積が、基準表面積の所定の数値範囲における上限を超えていないと判断された場合は、平均サンプル表面積が基準表面積の所定の数値範囲における下限を超えていることとなる。この場合は、動物用排泄物処理材Ｃ１００の表面積が、所望する表面積よりも小さいことを意味する。
この場合は、次に第４演算処理Ｓ６１７４が実施される。この第４演算処理Ｓ６１７４は、篩交換部Ａ７００に対し、使用篩Ｂ１１０を、使用篩Ｂ１１０よりも大きい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００８８】
一方、第３演算処理Ｓ６１７３においては、平均サンプル表面積が、基準表面積の所定の数値範囲における上限を超えていると判断された場合は、動物用排泄物処理材Ｃ１００の表面積が、所望する表面積よりも大きいことを意味する。
この場合は、次に第５演算処理Ｓ６１７５が実施される。この第５演算処理６１７５は、篩交換部Ａ７００に対し、使用篩Ｂ１１０を、使用篩Ｂ１１０よりも小さい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【００８９】
このようにして、第７実施パターンに係る動物用排泄物処理材の製造方法および製造装置においては、比較データとして平均サンプル表面積を使用し、基準データとして所定の数値範囲を有する基準表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第３演算処理Ｓ６１７３においては、平均サンプル表面積が、基準表面積が有する所定の範囲の「上限」を超えているかどうかにつき判断した。一方、第３演算処理Ｓ６１７３は、平均サンプル表面積が、基準表面積が有する所定の範囲の「下限」を超えているかどうかにつき判断することも可能である。さらに、第３演算処理Ｓ６１７３は、平均サンプル表面積が、基準表面積が有する所定の範囲の「上限を超えているか」と「下限を超えているか」を、同時に演算することも可能である。
【００９０】
（第８実施パターン）
第８実施パターンに係る動物用排泄物処理材の製造方法ＳＡおよび製造装置Ａを、図２３および図２４に基づき説明する。第８実施パターンにおいては、比較データとして「個別サンプル表面積」が使用され、基準データとして「所定の数値範囲を有する基準表面積」が使用される。個別サンプル表面積は、比較データ算出部Ａ５００における比較データ演算部Ａ５２０により得られる。第８実施パターンにおける比較データ演算部Ａ５２０は、第８比較データ演算部Ａ５２８とされる。基準データは、比較工程Ａ６００の基準データ記憶部Ａ６２０に記憶される。
【００９１】
第８実施パターンに係る動物用排泄物処理材の製造方法ＳＡおよび製造装置Ａにおいては、比較部Ａ６００の比較演算部Ａ６１０において、第８比較演算工程Ｓ６１８が実施される。第８比較演算工程Ｓ６１８は、まず、第１演算処理Ｓ６１８１として、比較演算部Ａ６１０に個別サンプル表面積と、所定の数値範囲を有する基準表面積とを入力する。次に、第２演算処理Ｓ６１８２として、個別サンプル表面積が、基準表面積の所定の数値範囲内に入っているかどうかが判断される。この際、個別サンプル表面積の個数が計測されるとともに記憶される。さらに、個別サンプル表面積が、基準表面積の所定の数値範囲に入っている個数と、基準表面積の所定の数値範囲における上限を超えている個数と、基準表面積の所定の数値範囲における下限を超えている個数とが計測されるとともに記憶される。さらに、個別サンプル表面積が基準表面積の所定の数値範囲内に入っている個数と、個別サンプル表面積が基準表面積の所定の数値範囲に入っていない個数とが計測されるとともに記憶される。
【００９２】
次に、第３演算処理Ｓ６１８３として、個別サンプル表面積と基準表面積とを比較した個数が、所定値に達したか否かにつき判断される。個別サンプル表面積と基準表面積とを比較した個数が所定値に達していない場合は、個別サンプル表面積と基準表面積とを比較した個数が所定値に達するまで第２演算処理Ｓ６１８２が行われる。一方、個別サンプル表面積と基準表面積とを比較した個数が所定値に達した場合は、第４演算処理Ｓ６１８４が行われる。
【００９３】
第４演算処理Ｓ６１８４は、個別サンプル表面積が、基準表面積の所定の数値範囲内に合致した個数が比較される。個別サンプル表面積が、基準表面積の所定の数値範囲内に合致した個数が、所定の数値以上の場合は、選別部Ａ２００の使用篩Ｂ１１０が適正であると判断される。第４演算処理Ｓ６１８４の終了処理により第８比較演算工程Ｓ６１８はリセットされ、次の平均サンプル表面積に基づく第１演算処理Ｓ６１８１が行われる。
【００９４】
一方、第４演算処理Ｓ６１８４において、個別サンプル表面積が、基準表面積の所定の数値範囲内に合致した個数が、所定の数値以下の場合は、第５演算処理Ｓ６１８５が行われる。
第５演算処理Ｓ６１８５においては、基準表面積の上限を超えた個別サンプル表面積の個数と、標準表面積の下限を超えた個別サンプル表面積の個数とが比較される。基準表面積の上限を超えた個別サンプル表面積の個数が少ないと判断された場合は、動物用排泄物処理材Ｃ１００の表面積が、所望する表面積よりも小さいことを意味する。
この場合は、次に第６演算処理Ｓ６１８６が行われる。第６演算処理Ｓ６１８６は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【００９５】
一方、第５演算処理Ｓ６１８５において、基準表面積の上限を超えた個別サンプル表面積の個数が少ないと判断された場合は、動物用排泄物処理材Ｃ１００の表面積が、所望する表面積よりも大きいことを意味する。
この場合は、次に第７演算処理Ｓ６１８６が行われる。第７演算処理Ｓ６１８７は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【００９６】
このようにして、第８実施パターンに係る動物用排泄物処理材の製造方法および製造装置においては、比較データとして個別サンプル表面積を使用し、基準データとして所定の数値範囲を有する基準表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第８実施パターンにおいては、個別サンプル表面積の「個数」に基づく判断を行った。一方、例えば、測定された個別サンプル表面積における、基準表面積の所定の範囲に入ったものの「割合」や、基準表面積の上限を超えたものと基準表面積の下限を超えたものの「割合」を、判断における基準とすることも可能である。
【００９７】
（第９実施パターン）
第９実施パターンに係る動物用排泄物処理材の製造方法ＳＡおよび製造装置Ａを、図２５および図２６に基づき説明する。第９実施パターンにおいては、比較データとして「平均サンプル表面積」が使用され、基準データとして「固定された数値を有する基準表面積」が使用される。なお、基準表面積を「固定された数値に基づく基準表面積」とした場合は、上述した第７実施パターンおよび第８実施パターンにおける「所定の数値範囲を有する基準表面積」と比較して、適正で無いと判断されるサンプル表面積が増加する傾向にある。したがって、基準データとして「固定された数値を有する標準表面積」を使用することは、表面積の均一性が強く求められる動物用排泄物処理材Ｃ１００を得る際に、好適となる。
平均サンプル表面積は、比較データ算出部Ａ５００における比較データ演算部Ａ５２０により得られる。第９実施パターンにおける比較データ演算部Ａ５２０は、第９比較データ演算部Ａ５２９とされる。基準データは、比較工程Ａ６００の基準データ記憶部Ａ６２０に記憶される。
【００９８】
第９実施パターンに係る動物用排泄物処理材の製造方法ＳＡおよび製造装置Ａにおいては、比較部Ａ６００の比較演算部Ａ６１０において、第９比較演算工程Ｓ６１９が実施される。第９比較演算工程Ｓ６１９は、まず、第１演算処理Ｓ６１９１として、比較演算部Ａ６１０に平均サンプル表面積と、所定の固定数値を有する基準表面積とを入力する。次に、第２演算処理Ｓ６１９２として、平均サンプル表面積が、基準表面積の固定数値と合致しているか否かが判断される。この第２演算処理Ｓ６１９２の結果、平均サンプル表面積が、基準表面積の固定数値と合致すると判断された場合は、終了処理がなされる。第２演算処理Ｓ６１９２の終了処理により第９比較演算工程Ｓ６１９はリセットされ、次の平均サンプル表面積に基づく第１演算処理Ｓ６１９１が行われる。
【００９９】
一方、第２演算処理Ｓ６１９２において、平均サンプル表面積が、基準表面積の固定数値と合致しないと判断された場合は、第３演算処理Ｓ６１９３が行われる。
第３演算処理Ｓ６１９３においては、平均サンプル表面積が、基準表面積の固定数値より大きいか否かが判断される。平均サンプル表面積が、基準表面積の固定数値を超えていないと判断された場合は、平均サンプル表面積が基準表面積の固定数値よりも小さいこととなる。この場合は、動物用排泄物処理材Ｃ１００の表面積が、所望する表面積よりも小さいことを意味する。
この場合は、次に第４演算処理Ｓ６１９４が行われる。第４演算処理Ｓ６１９４は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【０１００】
一方、第３演算処理Ｓ６１９３において、平均サンプル表面積が、基準表面積の固定数値を超えていると判断された場合は、動物用排泄物処理材Ｃ１００の表面積が、所望する表面積よりも大きいことを意味する。
この場合は、次に第５演算処理Ｓ６１９５が行われる。第５演算処理Ｓ６１９５は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【０１０１】
このようにして、第９実施パターンに係る動物用排泄物処理材の製造方法および製造装置においては、比較データとして平均サンプル表面積を使用し、基準データとして固定された数値を有する基準表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第３演算処理Ｓ６１９３においては、平均サンプル表面積が、基準表面積の固定数値よりも大きいか否かにつき判断した。一方、第３演算処理Ｓ６１９３は、平均サンプル表面積が、基準表面積が有する固定数値よりも小さいか否かにつき判断することも可能である。
【０１０２】
（第１０実施パターン）
第１０実施パターンに係る動物用排泄物処理材の製造方法ＳＡおよび製造装置Ａを、図２７および図２８に基づき説明する。第１０実施パターンにおいては、比較データとして「個別サンプル表面積」が使用され、基準データとして「固定された数値を有する基準表面積」が使用される。
個別サンプル表面積は、比較データ算出部Ａ５００における比較データ演算部Ａ５２０により得られる。第１０実施パターンにおける比較データ演算部Ａ５２０は、第１０比較データ演算部Ａ５２０１０とされる。基準データは、比較工程Ａ６００の基準データ記憶部Ａ６２０に記憶される。
【０１０３】
第１０実施パターンに係る動物用排泄物処理材の製造方法ＳＡおよび製造装置Ａにおいては、比較部Ａ６００の比較演算部Ａ６１０において、第１０比較演算工程Ｓ６１０１０が実施される。第１０比較演算工程Ｓ６１０１０は、まず、第１演算処理Ｓ６１０１０１として、比較演算部Ａ６１０に個別サンプル表面積と、基準表面積の固定数値とを入力する。次に、第２演算処理Ｓ６１０１０２として、個別サンプル表面積が、基準表面積の固定数値と合致しているか否が判断される。この際、個別サンプル表面積の個数が計測されるとともに記憶される。さらに、個別サンプル表面積が、基準表面積の固定数値と合致している個数と、基準表面積の固定数値よりも大きいものの個数と、基準表面積の固定数値よりも小さいものの個数とが計測されるとともに記憶される。さらに、個別サンプル表面積が基準表面積の固定数値に合致している個数と、個別サンプル表面積が基準表面積の固定数値に合致していない個数とが計測されるとともに記憶される。
【０１０４】
次に、第３演算処理Ｓ６１０１０３として、個別サンプル表面積と基準表面積とを比較した個数が、所定値に達したか否かにつき判断される。個別サンプル表面積と基準表面積とを比較した個数が所定値に達していない場合は、個別サンプル表面積と基準表面積とを比較した個数が所定値に達するまで第２演算処理Ｓ６１０１０２が行われる。一方、個別サンプル表面積と基準表面積とを比較した個数が所定値に達した場合は、第４演算処理Ｓ６１０１０４が行われる。
【０１０５】
第４演算処理Ｓ６１０１０４は、個別サンプル表面積が、基準表面積の固定数値に合致した個数が比較される。個別サンプル表面積が、基準表面積の固定数値所定の数値に合致した個数が、所定の数値以上の場合は、選別部Ａ２００の使用篩Ｂ１１０が適正であると判断される。この場合、第４演算処理Ｓ６１０１０４は終了処理を行う。第４演算処理Ｓ６１０１０４の終了処理により第１０比較演算工程Ｓ６１０１０はリセットされ、次の平均サンプル表面積に基づく第１演算処理Ｓ６１０１０１が行われる。
【０１０６】
一方、第４演算処理Ｓ６１０１０４において、個別サンプル表面積が、基準表面積の固定数値に合致した個数が、所定の数値以下の場合は、第５演算処理Ｓ６１０１０５が行われる。
第５演算処理Ｓ６１０１０５においては、基準表面積の固定数値より大きい個別サンプル表面積の個数と、基準表面積の固定数値より小さい個別サンプル表面積の個数とが比較される。基準表面積より大きい個別サンプル表面積の個数が少ない場合は、動物用排泄物処理材Ｃ１００の表面積が、所望する表面積よりも小さいことを意味する。
この場合は、次に第６演算処理Ｓ６１０１０６が行われる。第６演算処理Ｓ６１０１０６は、篩交換部Ａ７００にて、選別部Ａ２００の使用篩Ｂ１１０を、当該使用篩Ｂ１１０よりも大きい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【０１０７】
一方、第５演算処理Ｓ６１０１０５において、基準表面積の固定値よりも大きい個別サンプル表面積の数が少ないと判断された場合は、動物用排泄物処理材Ｃ１００の表面積が、所望する表面積よりも大きいことを意味する。
この場合は、次に第７演算処理Ｓ６１０１０７が行われる。第７演算処理Ｓ６１０１０７は、篩交換部Ａ７００にて、選別部Ａ２００の使用篩Ｂ１１０を、当該使用篩Ｂ１１０よりも小さい目開きを有する準備篩１２０へ交換することを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【０１０８】
このようにして、第１０実施パターンに係る動物用排泄物処理材の製造方法および製造装置においては、比較データとして個別サンプル表面積を使用し、基準データとして固定された数値を有する基準表面積を使用することにより、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
なお、第１０実施パターンにおいては、個別サンプル表面積の「個数」に基づく判断を行った。一方、例えば、測定された個別サンプル表面積における、基準表面積と合致したものの「割合」や、基準表面積よりも大きいものと基準表面積よりも小さいものの「割合」を、判断における基準とすることも可能である。
【０１０９】
（第３形態）
本発明の第３形態に係る動物用排泄物処理材の製造方法および製造装置を、図２９〜図３６に基づき説明する。第３形態に係る動物用排泄物処理材の製造方法および製造装置は、第１１実施パターン〜第１４実施パターンに基づき説明される。
第３形態においては、比較データ算出部Ａ５００により得られる比較データとして、標準偏差が使用される。
【０１１０】
まず、比較データとして、サンプルの標準偏差を比較データ算出部Ａ５００にて得る工程につき説明する。サンプルの標準偏差は、サンプルの所定単位数値に基づき得られる。
上述の通り、比較データ算出部Ａ５００の単位数値測定部Ａ５１０にて、動物用排泄物処理材Ｃ１００の単位数値が得られる。この際、単位数値として「粒径」が得られる。また、比較データ演算部Ａ５２０の演算により、動物用排泄物処理材Ｃ１００におけるさらに他の単位数値を得ることができる。
【０１１１】
比較データ演算部Ａ５２０は、単位数値測定部Ａ５１０にて「粒径」が測定されたサンプルの個数を計測し、記憶する。比較データ演算部Ａ５２０は、さらに、所定の形状として仮定された基準形状を準備する。この基準形状は、球体とされる。
比較データ演算部Ａ５２０は、比較データ算出部Ａ５００にて得られた粒径に基づき「サンプルの半径ｒ」を得る。したがって、比較データ演算部Ａ５２０は、サンプルの単位数値として「半径」を得ることができる。
【０１１２】
さらに、比較データ演算部Ａ５２０は、サンプルの半径ｒを、球体である基準形状に充当する。そして、球体の表面積を求める公式（球体の表面積＝４πｒ２）に基づき、サンプルの表面積を得る。したがって、比較データ演算部Ａ５２０は、サンプルの単位数値として「表面積」を得ることができる。
【０１１３】
さらに、比較データ演算部Ａ５２０は、サンプルの体積を得ることができる。すなわち、サンプルの半径ｒを、球体である基準形状に充当する。そして、球体の体積を求める公式（球体の体積＝４／３πｒ３）に基づき、サンプルの体積を得る。したがって、比較データ演算部Ａ５２０は、サンプルの単位数値として「体積」を得ることができる。
【０１１４】
さらに、比較データ演算部Ａ５２０は、サンプルの体積から、サンプルの重量（質量）を得る。この場合、比較データ演算部Ａ５２０に、サンプルにおける比重が入力される。このサンプルの比重と、サンプルの体積を積算することにより、サンプルの重量が得られる。したがって、比較データ演算部Ａ５２０は、サンプルの単位数値として「重量（質量）」を得ることができる。
【０１１５】
さらに、比較データ演算部Ａ５２０は、サンプルの表面積を、サンプルの重量で除することができる。このようにして、サンプルにおける単位重量表面積が得られる。従って、比較データ演算部Ａ５２０は、サンプルの単位数値として「単位重量表面積」を得ることができる。
【０１１６】
さらに、比較データ演算部Ａ５２０は、サンプルの体積を、サンプルの重量で除することができる。このようにして、サンプルにおける単位重量体積が得られる。従って、比較データ演算部Ａ５２０は、サンプルの単位数値として「単位重量体積」を得ることができる。
【０１１７】
すなわち、上述の通り、比較データ算出部Ａ５００は、サンプルの「単位数値」として、粒径、半径、表面積、体積、質量（重量）、単位重量表面積、単位質量表面積を得ることができる。なお、サンプルにおける単位数値を、サンプル単位数値とする。
このサンプル単位数値を所定数得ることにより、比較データ演算部Ａ５２０は、比較データとなる標準偏差を演算する。
【０１１８】
なお、サンプルに対して所定の単位数値により標準偏差を演算した場合には、所定の単位数値の平均値を得ることができる。このサンプルの標準偏差に伴う所定の単位数値の平均値を、平均サンプル単位数値とする。
比較データ算出工程は、標準偏差を平均サンプル単位数値で除したものを比較データとすることもできる。
【０１１９】
また、平均サンプル単位数値を、比較データの一部とすることができる。平均サンプル単位数値を比較データの一部とする場合は、標準偏差が第１比較データを形成し、「所定の単位数値の平均値」が第２比較データを形成する。
【０１２０】
基準データは、比較データの適否を判断するための任意の所定数値である。基準データは、所定の数値範囲を有する。基準データは、比較部Ａ６００における基準データ記憶部Ａ６２０に入力され、記憶される。
なお、比較データが第１比較データと第２比較データとにより形成される場合は、基準データも第１基準データと第２基準データとを有する。第１基準データは、第１比較データの適否を判断するための所定の数値である。第２基準データは、第２比較データの適否を判断するための所定の数値である。
【０１２１】
（第１１実施パターン）
第１１実施パターンに係る動物用排泄物処理材の製造方法ＳＡおよび製造装置Ａを、図２９および図３０に基づき説明する。比較データは、比較データ算出部Ａ５００における比較データ演算部Ａ５２０により得られる。
なお、この比較データは、サンプルの所定単位数値に基づく標準偏差であっても、この標準偏差を平均サンプル単位数値で除したものであってもよい。
第１１実施パターンにおける比較データ演算部Ａ５２０は、第１１比較データ演算部Ａ５２０１１とされる。
【０１２２】
第１１実施パターンに係る動物用排泄物処理材の製造方法ＳＡおよび製造装置Ａにおいては、比較部Ａ６００の比較演算部Ａ６１０によって、第１１比較演算工程Ｓ６１０１１が実施される。第１１比較演算工程Ｓ６１０１１は、まず、第１演算処理Ｓ６１０１１１として、比較演算部Ａ６１０に比較データを入力する。次に、第２演算処理Ｓ６１０１１２として、比較データを、篩交換工程Ａ７００に伝達する。この結果、作業者は比較データにより、選別部Ａ２００の使用篩Ｂ１１０の状況を把握することができる。さらに、作業者は、比較データにより篩Ｂ１１０が不適格であると判断した場合は、使用篩Ｂ１１０を準備篩Ｂ１２０と交換することができる。
【０１２３】
このようにして、第１１実施パターンに係る動物用排泄物処理材の製造方法および製造装置においては、比較データに基づき、選別部Ａ２００の使用篩Ｂ１１０を準備篩Ｂ１２０へと交換することができる。よって、製造される動物用排泄物処理材Ｃ１００の品質を、安定させることができる。
【０１２４】
（第１２実施パターン）
第１２実施パターンに係る動物用排泄物処理材の製造方法ＳＡおよび製造装置Ａを、図１１および図１２に基づき説明する。第１２実施パターンにおいては、比較データは、比較データ算出部Ａ５００における比較データ演算部Ａ５２０により得られる。なお、この比較データは、サンプルの所定単位数値に基づく標準偏差であっても、この標準偏差を平均サンプル単位数値で除したものであってもよい。第１２実施パターンにおける比較データ演算部Ａ５２０は、第１２比較データ演算部Ａ５２０１２とされる。
基準データは、比較工程Ａ６００の基準データ記憶部Ａ６２０に記憶される。
【０１２５】
第１２実施パターンに係る動物用排泄物処理材の製造方法ＳＡおよび製造装置Ａにおいては、比較部Ａ６００の比較演算部Ａ６１０によって、第１２比較演算工程Ｓ６１０１２が実施される。第１比較演算工程Ｓ６１０１２は、まず、第１演算処理Ｓ６１０１２１として、比較演算部Ａ６１０に比較データと、所定の範囲を有する基準データとを入力する。次に、第２演算処理Ｓ６１０１２２として、比較データが、基準データの所定の数値範囲内に入っているか否かが判断される。この第２演算処理Ｓ６１０１２２の結果、比較データが、基準データの所定の数値範囲内であると判断された場合は、終了処理がなされる。第２演算処理Ｓ６１０１２２の終了処理により第１２比較演算工程Ｓ６１０１２はリセットされ、次の比較データに基づく第１演算処理Ｓ６１０１２１が行われる。
【０１２６】
一方、第２演算処理Ｓ６１０１２２において、比較データが、基準データの所定の数値範囲内に入らないと判断された場合は、第３演算処理Ｓ６１０１２３が行われる。第３演算処理Ｓ６１０１２３は、篩交換部Ａ７００に対し、使用篩Ｂ１１０を準備篩Ｂ１２０に交換する必要があることを示す。
この結果、篩交換部Ａ７００にて、選別部Ａ２００の使用篩Ｂ１１０を、準備篩１２０へ交換する作業を行うことができる。
【０１２７】
このようにして、第１２実施パターンに係る動物用排泄物処理材の製造方法および製造装置においては、比較データに基づき、選別部Ａ２００の使用篩Ｂ１１０を準備篩Ｂ１２０へと交換することができる。よって、製造される動物用排泄物処理材Ｃ１００の品質を、安定させることができる。
【０１２８】
（第１３実施パターン）
第１３実施パターンに係る動物用排泄物処理材の製造方法ＳＡおよび製造装置Ａを、図３３および図３４に基づき説明する。第１３実施パターンにおいては、比較データとして第１比較データおよび第２比較データが使用される。なお、第１比較データは、サンプルの所定単位数値に基づく標準偏差であっても、この標準偏差を平均サンプル単位数値で除したものであってもよい。
また、基準データとして第１基準データおよび第２基準データが使用される。この際、第１基準データは、第１比較データの適否を判断するための所定の数値範囲を有している数値となる。一方、第２基準データは、第２比較データの適否を判断するための、単一の数値を有している（数値範囲を有していない）数値である。
第１比較データおよび第２比較データは、比較データ算出部Ａ５００における比較データ演算部Ａ５２０により得られる。第１３実施パターンにおける比較データ演算部Ａ５２０は、第１３比較データ演算部Ａ５２０１３とされる。基準データは、比較工程Ａ６００の基準データ記憶部Ａ６２０に記憶される。
【０１２９】
第１３実施パターンに係る動物用排泄物処理材の製造方法ＳＡおよび製造装置Ａにおいては、比較部Ａ６００の比較演算部Ａ６１０によって、第１３比較演算工程Ｓ６１０１３が実施される。第１比較演算工程Ｓ６１０１３は、まず、第１演算処理Ｓ６１０１３１として、比較演算部Ａ６１０に第１比較データと、第２比較データと、第１基準データと、第２基準データとを入力する。次に、第２演算処理Ｓ６１０１３２として、第１比較データが、第１基準データの数値範囲内に入っているか否かが判断される。この第２演算処理Ｓ６１０１３２の結果、第１比較データが、第１基準データの所定の数値範囲内であると判断された場合は、終了処理がなされる。第２演算処理Ｓ６１０１３２の終了処理により第１３比較演算工程Ｓ６１０１３はリセットされ、次の第１演算処理Ｓ６１０１３１が行われる。
【０１３０】
一方、第２演算処理Ｓ６１０１３２において、第１比較データが、第１基準データの所定の数値範囲内に入らないと判断された場合は、第３演算処理Ｓ６１０１３３が行われる。
第３演算処理Ｓ６１０１３３においては、第２比較データが、第２基準データの数値よりも大きいかどうかが判断される。第２比較データが、第２基準データよりも小さいと判断された場合は、動物用排泄物処理材Ｃ１００の大きさが、所望の大きさよりも小さいことを意味する。
この場合は、次に第４演算処理Ｓ６１０１３４が実施される。この第４演算処理Ｓ６１０１３４は、篩交換部Ａ７００に対し、使用篩Ｂ１１０を、使用篩Ｂ１１０よりも大きい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも大きい目開きを有する準備篩１２０へ交換する作業を行うことができる。
【０１３１】
一方、第３演算処理Ｓ６１０１３３において、第２比較データが第２基準データよりも大きいと判断された場合は、動物用排泄物処理材Ｃ１００の大きさが、所望の大きさよりも大きいことを意味する。
この場合は、次に第５演算処理Ｓ６１０１３５が実施される。この第５演算処理６１０１３５は、篩交換部Ａ７００に対し、使用篩Ｂ１１０を、使用篩Ｂ１１０よりも小さい目開きを有する準備篩Ｂ１２０に交換する必要があることを示す。
この結果、篩交換部Ａ７００にて、選別部Ａ２００の使用篩Ｂ１１０を、当該使用篩Ｂ１１０よりも小さい目開きを有する準備篩１２０へ交換する作業を行うことができる。
【０１３２】
このようにして、第１３実施パターンに係る動物用排泄物処理材の製造方法および製造装置においては、選別部Ａ２００の使用篩Ｂ１１０を、適切な目開きを有する準備篩Ｂ１２０へと交換することができる。よって、製造される動物用排泄物処理材Ｃ１００の品質を、安定させることができる。
【０１３３】
（第４形態）
本発明の第４形態に係る動物用排泄物処理材の製造方法および製造装置を、図３５〜図３６に基づき説明する。第４形態に係る動物用排泄物処理材の製造方法および製造装置は、第１４実施パターンに基づき説明される。
第４実施形態は、混合部Ａ８１０において、第１動物用排泄物処理材と、第２動物用排泄物処理材の混合物に対し、品質管理を行う混合物品質管理部Ａ３０３が形成される。
【０１３４】
（第１４実施パターン）
図３５および図３６に基づき第１４実施パターンを説明する。第１４実施パターンにおける第５製造装置Ａ５は、単一の造粒部Ａ１００に対し、複数の選別部Ａ２００が形成される。第５製造装置Ａ５は第５製造工程を実施する。
図３５および図３６においては、選別部Ａ２００として、第１選別部Ａ２０１と第２選別部Ａ２０２が形成される。一方、さらに複数の選別部Ａ２００を形成することができる。複数の選別部Ａ２００にそれぞれ使用される使用中篩は、それぞれ異なる目開きを有する。第１４実施パターンの場合、第１選別部Ａ２０１にて使用される使用中篩の目開きは、第２選別部Ａ２０２にて使用される使用中篩の目開きよりも大きい。
なお、上述の通り、第１選別部Ａ２０１は、品質管理部Ａ３００として第１品質管理部Ａ３０１を有する。第２選別部Ａ２０２は、第２品質管理部Ａ３０２を有する。第１品質管理部３０１および第２品質管理部Ａ３０２は、上述した第１実施パターン〜第１３実施パターンに係る品質管理部Ａ３００の構成が適宜使用される。
【０１３５】
最終処理部Ａ８００の混合部Ａ８１０は、混合物品質管理部Ａ３０２を有する。混合物品質管理部Ａ３０２は、混合物品質管理工程Ａ３０２を実施する。混合物品質管理部Ａ３０２は、複数の選別部Ａ２００にてそれぞれ得られた動物用排泄物処理材の混合物が適切であるか否かにつき判断する。すなわち、第１４実施パターンにおいて、混合物品質管理部Ａ３０２は、第１選別部Ａ２０１により得られた第１動物用排泄物処理材と、第２選別部Ａ２０２により得られた第２動物用排泄物処理材の混合物の適否を判断する。
【０１３６】
図３６に示すように、選別部Ａ２００により得られた動物用排泄物処理材は、通路Ａ８２０を通過する。通路Ａ８２０は、第１選別部Ａ２０１により得られた第１動物用排泄物処理材が通過される第１通路Ａ８２１と、第２選別部Ａ２０２により得られた第２動物用排泄物処理材が通過される第２通路Ａ８２２と、第１動物用排泄物処理材と第２動物用排泄物処理材の混合物が通過される合流通路Ａ８２３とを有する。
【０１３７】
第１通路Ａ８２１と、第２通路Ａ８２２の合流部には、流量制御部Ａ８３０が形成される。流量制御部Ａ８３０は、流量制御工程Ｓ８３０を形成する。流量制御部Ａ８３０は、第１動物用排泄物処理材と第２動物用排泄物処理材を混合するにあたり、第１動物用排泄物処理材と第２動物用排泄物処理材のいずれかの割合が多くなるように調整する。なお、流量制御部Ａ８３０は、第１動物用排泄物処理材と第２動物用排泄物処理材が同等の割合にて混合されるように調整することもできる。
【０１３８】
流量制御部Ａ８３０は、第１通路Ａ８２１と第２通路Ａ８２２との合流部に配置された板状部材により形成することができる。この場合、流量制御部Ａ８３０は、合流通路Ａ８２３と対向する側を支点として、矢印Ａ８３１に示されるように、第１通路８２１方向および第２通路８２２方向に搖動可能に構成される。なお流量制御部Ａ８３０がいずれの位置に移動されている場合であっても、第１通路８２１もしくは第２通路８２２を完全にふさぐことはない。
流量制御部Ａ８３０が、第１通路８２１側に移動された場合は、第１動物用排泄物処理材が流量制御部Ａ８３０に当接し、合流部Ａ８２３へ通過される量が減少される。よって、合流通路Ａ８２３においては、第１動物用排泄物処理材の方が、第２動物用排泄物処理材よりも少ない割合となる。これとは逆に、流量制御部Ａ８３０が、第２通路８２２側に移動された場合は、第２動物用排泄物処理材が流量制御部Ａ８３０に当接し、合流部Ａ８２３へ通過される量が減少される。よって、合流通路Ａ８２３においては、第１動物用排泄物処理材の方が、第２動物用排泄物処理材よりも多い割合となる。
なお、流量制御部Ａ８３０は、上記した構成以外の構成を選択することも可能である。
【０１３９】
混合物品質管理部Ａ３０３は、合流通路Ａ８２３における、第１動物用排泄物処理材と第２動物用排泄物処理材の混合物の適否を判断し、流量制御部Ａ８３０の位置を調整する。すなわち、混合物品質管理部Ａ３０３は、第１動物用排泄物処理材と、第２動物用排泄物処理材の流量を調整する。
混合物品質管理部Ａ３０３は、混合物抽出部（図示せず）と、混合物比較データ算出部（図示せず）と、流量制御部調整部（図示せず）とを有する。混合物抽出部は混合物抽出工程を実施し、混合物比較データ算出部は混合物比較データ算出工程を実施し、流量制御部調整部は流量制御部調整工程を実施する。
また、混合物品質管理部Ａ３０３は、混合物比較部（図示せず）を有することもできる。混合物比較部は、混合物比較工程を実施する。
【０１４０】
混合物抽出部、混合物比較データ算出部、混合物比較部は、上述した全体基本形態および第１実施パターン〜第１３実施パターンにて説明した構成を適宜充当することが可能である。すなわち、混合物抽出部の構成は抽出部Ａ４００の構成を、混合物比較データ算出部の構成は比較データ算出部Ａ５００の構成を、混合物比較部の構成は比較部Ａ６００の構成をそれぞれ応用することができる。
また、流量制御部調整部は、上述した全体基本形態および第１実施パターン〜第１３実施パターンにて説明した篩交換部Ａ７００に準じた構成とすることができる。すなわち、篩交換部Ａ７００は使用篩を準備篩に交換するものであるのに対し、流量制御部調整部は、流量制御部Ａ８３０の位置を変更するものである。
【０１４１】
このように構成された混合物品質管理部においては、第１動物用排泄物処理材と第２動物用排泄物処理材の混合物における測定結果に基づき、手動もしくは自動的に流量制御部Ａ８３０の位置を調整することができる。
従って、安定した品質の動物用排泄物処理材を製造することが可能となる。
【０１４２】
なお、本発明に係る動物用排泄物処理材の製造方法およびその製造装置は上述したものに限られないものである。また、第１実施パターン〜第１４実施パターンにて説明した構成を適宜組み合わせることや、変更することも可能である。
また、本発明に係る比較データ演算部Ａ５２０や、比較データ演算部Ａ５２０や、比較演算部Ａ６１０のように、演算を実施する構成は、周知の演算機能を有する構成を適宜選択することができる。
【０１４３】
（実施の形態と本発明の各構成要素の対応について）
動物用排泄物処理材Ｃ１００は、本発明に係る「動物用排泄物処理材」の一例である。動物用排泄物処理材の製造方法ＳＡは、本発明に係る「動物用排泄物処理材の製造方法」の一例である。造粒工程Ｓ１００は、本発明に係る「造粒工程」の一例である。粒状体は、本発明に係る「粒状体」の一例である。選別工程Ｓ２００は、本発明に係る「選別工程」の一例である。品質管理工程Ｓ３００は、本発明に係る「品質管理工程」の一例である。品質管理機材は、本発明に係る「品質管理機材」の一例である。抽出工程Ｓ４００は、本発明に係る「抽出工程」の一例である。比較データ算出工程Ｓ５００は、本発明に係る「比較データ算出工程」の一例である。比較工程Ｓ６００は、本発明に係る「比較工程」の一例である。判断は、本発明に係る「判断」の一例である。篩交換工程Ｓ７２０は、本発明に係る「篩交換工程」の一例である。篩Ｂ１００は、本発明に係る「篩」の一例である。使用篩Ｂ１１０は、本発明に係る「使用篩」の一例である。準備篩Ｂ１２０は、本発明に係る「準備篩」の一例である。動物用排泄物処理材の製造装置Ａは、本発明に係る「動物用排泄物処理材の製造装置」の一例である。造粒部Ａ１００は、本発明に係る「造粒部」の一例である。選別部Ａ２００は、本発明に係る「選別部」の一例である。品質管理部Ａ３００は、本発明に係る「品質管理部」の一例である。品質管理部Ａ３００は、本発明に係る「品質管理部」の一例である。抽出部Ａ４００は、本発明に係る「抽出部」の一例である。比較データ算出部Ａ５００は、本発明に係る「比較データ算出部」の一例である。比較部Ａ６００は、本発明に係る「比較部」の一例である。篩交換部Ａ７００は、本発明に係る「篩交換部」の一例である。
【０１４４】
以上の本発明の特質に鑑み、以下の各種の構成態様が構築できる。
（態様１）
動物用排泄物処理材の製造方法であって、
原材料を造粒して粒状体を形成する造粒工程と、所定大きさの目開きを有する篩によって前記粒状体を選別することにより動物用排泄物処理材を形成する選別工程とを有し、
さらに、品質管理機材を用いた品質管理工程として、
前記動物用排泄物処理材から測定対象となるサンプルを抽出する抽出工程と、
前記サンプルにおける単位重量表面積を比較データとして得る比較データ算出工程と、
前記比較データに基づき前記篩の交換を行う篩交換工程と、を有することを特徴とする動物用排泄物処理材の製造方法。
【０１４５】
（態様２）
態様１に記載された動物用排泄物処理材の製造方法であって、
前記品質管理工程は、所定数値の単位重量表面積である基準データを有するとともに、前記比較データと前記基準データとを比較する比較工程を有することを特徴とする動物用排泄物処理材の製造方法。
【０１４６】
（態様３）
態様１または２に記載された動物用排泄物処理材の製造方法であって、
前記篩は、前記選別工程で使用されている使用篩と、当該使用篩とは異なる目開きを有する篩である準備篩とを有し、
前記篩交換工程は、前記使用篩を、前記準備篩へと交換することを特徴とする動物用排泄物処理材の製造方法。
【０１４７】
（態様４）
態様３に記載された動物用排泄物処理材の製造方法であって、
前記比較工程において、前記比較データが前記基準データよりも小さいと判断された場合は、前記篩交換工程において、前記使用篩を、前記使用篩よりも大きい目開きを有する前記準備篩へと変更することを特徴とする動物用排泄物処理材の製造方法。
【０１４８】
（態様５）
態様３に記載された動物用排泄物処理材の製造方法であって、
前記比較工程において、前記比較データが前記基準データよりも大きいと判断された場合は、前記篩交換工程において、前記使用篩を、前記使用篩よりも小さい目開きを有する前記準備篩へと変更することを特徴とする動物用排泄物処理材の製造方法。
【０１４９】
（態様６）
態様１〜５のいずれか１項に記載された動物用排泄物処理材の製造方法であって、
前記基準データにおける前記所定数値は、数値範囲を有することを特徴とする動物用排泄物処理材の製造方法。
【０１５０】
（態様７）
態様１〜５のいずれか１項に記載された動物用排泄物処理材の製造方法であって、
前記基準データにおける前記所定数値は、数値範囲を有さないことを特徴とする動物用排泄物処理材の製造方法。
【０１５１】
（態様８）
態様１〜７のいずれか１項に記載された動物用排泄物処理材の製造方法であって、
前記比較データ算出工程は、所定形状として仮定された基準形状を記憶する工程と、前記サンプルの比重を記憶する工程と、前記サンプルの粒径を計測する工程と、前記粒径を前記基準形状に充当することにより前記サンプルの表面積および体積を算出する工程と、前記体積と前記比重から前記サンプルの質量を算出する工程と、前記表面積と前記質量から前記比較データを算出する工程と、を有することを特徴とする動物用排泄物処理材の製造方法。
【０１５２】
（態様９）
態様８に記載された動物用排泄物処理材の製造方法であって、
上記基準形状は、球体であることを特徴とする動物用排泄物処理材の製造方法。
【０１５３】
（態様１０）
態様１〜９のいずれか１項に記載された動物用排泄物処理材の製造方法であって、
前記抽出工程では複数の前記サンプルが得られることを特徴とする動物用排泄物処理材の製造方法。
【０１５４】
（態様１１）
態様１０に記載された動物用排泄物処理材の製造方法であって、
前記比較データ算出工程では、前記比較データの平均である平均比較データが得られ、前記比較工程では、前記平均比較データと前記基準データとが比較されることを特徴とする動物用排泄物処理材の製造方法。
【０１５５】
（態様１２）
態様１０に記載された動物用排泄物処理材の製造方法であって、
前記比較データ算出工程では、個々の前記比較データである個別比較データが得られ、前記比較工程では、前記個別比較データと前記基準データとが比較されることを特徴とする動物用排泄物処理材の製造方法。
【０１５６】
（態様１３）
態様１〜１２のいずれか１項に記載された動物用排泄物処理材の製造方法であって、
前記篩は、特定の前記基準データに関連付けられることを特徴とする動物用排泄物処理材の製造方法。
【０１５７】
（態様１４）
態様１〜１３のいずれか１項に記載された動物用排泄物処理材の製造方法であって、
前記選別工程は、第１選別工程と第２選別工程とを有し、
前記第１選別工程は、第１使用篩を有し、
前記第２選別工程は、前記第１使用篩とは異なる前記基準データに関連付けられた第２使用篩を有し、
さらに、選別工程の次工程として、前記第１選別工程により得られた動物用排泄物処理材である第１動物用排泄物処理材と、前記第２選別工程により得られた動物用排泄物処理材である第２動物用排泄物処理材とを混合する混合工程を有することを特徴とする動物用排泄物処理材の製造方法。
【０１５８】
（態様１５）
態様１４に記載された動物用排泄物処理材の製造方法であって、
前記第１選別工程と前記第２選別工程とは同時に稼働可能に構成されていることを特徴とする動物用排泄物処理材の製造方法。
【０１５９】
（態様１６）
態様１４に記載された動物用排泄物処理材の製造方法であって、
前記第１動物用排泄物処理材を保管する保管工程を有し、
前記混合工程は、前記保管工程の前記第１動物用排泄物処理材と、前記第２動物用排泄物処理材とを混合することを特徴とする動物用排泄物処理材の製造方法。
【０１６０】
（態様１７）
態様１４〜１６のいずれか１項に記載された動物用排泄物処理材の製造方法であって、
前記混合工程は、前記第１動物用排泄物処理材と、前記第２動物用排泄物処理材の流量をする流量制御工程と、
前記混合された前記第１動物用排泄物処理材と前記第２動物用排泄物処理材の品質を管理する混合物品質管理工程とを有し、
前記混合物品質管理工程の管理結果に基づき前記流量制御工程を調整することを特徴とする動物用排泄物処理材の製造方法。
【０１６１】
（態様１８）
動物用排泄物処理材の製造装置であって、
原材料を造粒して粒状体を形成する造粒部と、所定大きさの目開きを有する篩によって前記粒状体を選別することにより動物用排泄物処理材を形成する選別部とを有し、
さらに、品質管理機材を用いた品質管理部として、
前記動物用排泄物処理材から測定対象となるサンプルを抽出する抽出部と、
前記サンプルにおける単位重量表面積を比較データとして得る比較データ算出部と、
前記比較データに基づき前記篩の交換を行う篩交換部と、を有することを特徴とする動物用排泄物処理材の製造装置。
【０１６２】
（態様１９）
態様１８に記載された動物用排泄物処理材の製造装置であって、
前記品質管理部は、所定数値の単位重量表面積である基準データを有するとともに、前記比較データと前記基準データとを比較する比較部を有することを特徴とする動物用排泄物処理材の製造装置。
【０１６３】
（態様２０）
態様１８または１９に記載された動物用排泄物処理材の製造装置であって、
前記篩は、前記選別部で使用されている使用篩と、当該使用篩とは異なる目開きを有する篩である準備篩とを有し、
前記篩交換部は、前記使用篩を、前記準備篩へと交換することを特徴とする動物用排泄物処理材の製造装置。
【０１６４】
（態様２１）
動物用排泄物処理材の製造方法であって、
原材料を造粒して粒状体を形成する造粒工程と、所定大きさの目開きを有する篩によって前記粒状体を選別することにより動物用排泄物処理材を形成する選別工程とを有し、
さらに、品質管理機材を用いた品質管理工程として、
前記動物用排泄物処理材から測定対象となるサンプルを抽出する抽出工程と、
前記サンプルにおける表面積を比較データとして得る比較データ算出工程と、
前記比較データに基づき前記篩の交換を行う篩交換工程と、を有することを特徴とする動物用排泄物処理材の製造方法。
【０１６５】
（態様２２）
態様２１に記載された動物用排泄物処理材の製造方法であって、
前記品質管理工程は、所定数値の表面積である基準データを有するとともに、前記比較データと前記基準データとを比較する比較工程を有することを特徴とする動物用排泄物処理材の製造方法。
【０１６６】
（態様２３）
態様２１または２２に記載された動物用排泄物処理材の製造方法であって、
前記篩は、前記選別工程で使用されている使用篩と、当該使用篩とは異なる目開きを有する篩である準備篩とを有し、
前記篩交換工程は、前記使用篩を、前記準備篩へと交換することを特徴とする動物用排泄物処理材の製造方法。
【０１６７】
（態様２４）
態様２３に記載された動物用排泄物処理材の製造方法であって、
前記比較工程において、前記比較データが前記基準データよりも小さいと判断された場合は、前記篩交換工程において、前記使用篩を、前記使用篩よりも大きい目開きを有する前記準備篩へと変更することを特徴とする動物用排泄物処理材の製造方法。
【０１６８】
（態様２５）
態様２３に記載された動物用排泄物処理材の製造方法であって、
前記比較工程において、前記比較データが前記基準データよりも大きいと判断された場合は、前記篩交換工程において、前記使用篩を、前記使用篩よりも小さい目開きを有する前記準備篩へと変更することを特徴とする動物用排泄物処理材の製造方法。
【０１６９】
（態様２６）
態様２１〜２５のいずれか１項に記載された動物用排泄物処理材の製造方法であって、
前記基準データにおける前記所定数値は、数値範囲を有することを特徴とする動物用排泄物処理材の製造方法。
【０１７０】
（態様２７）
態様２１〜２５のいずれか１項に記載された動物用排泄物処理材の製造方法であって、
前記基準データにおける前記所定数値は、数値範囲を有さないことを特徴とする動物用排泄物処理材の製造方法。
【０１７１】
（態様２８）
態様２１〜２７のいずれか１項に記載された動物用排泄物処理材の製造方法であって、
前記比較データ算出工程は、所定形状として仮定された基準形状を記憶する工程と、前記サンプルの粒径を計測する工程と、前記粒径を前記基準形状に充当することにより前記比較データを算出する工程と、を有することを特徴とする動物用排泄物処理材の製造方法。
【０１７２】
（態様２９）
態様２８に記載された動物用排泄物処理材の製造方法であって、
上記基準形状は、球体であることを特徴とする動物用排泄物処理材の製造方法。
【０１７３】
（態様３０）
態様２１〜２９のいずれか１項に記載された動物用排泄物処理材の製造方法であって、
前記抽出工程では複数の前記サンプルが得られることを特徴とする動物用排泄物処理材の製造方法。
【０１７４】
（態様３１）
態様３０に記載された動物用排泄物処理材の製造方法であって、
前記比較データ算出工程では、前記比較データの平均である平均比較データが得られ、前記比較工程では、前記平均比較データと前記基準データとが比較されることを特徴とする動物用排泄物処理材の製造方法。
【０１７５】
（態様３２）
態様３０に記載された動物用排泄物処理材の製造方法であって、
前記比較データ算出工程では、個々の前記比較データである個別比較データが得られ、前記比較工程では、前記個別比較データと前記基準データとが比較されることを特徴とする動物用排泄物処理材の製造方法。
【０１７６】
（態様３３）
態様２１〜３２のいずれか１項に記載された動物用排泄物処理材の製造方法であって、
前記篩は、特定の前記基準データに関連付けられることを特徴とする動物用排泄物処理材の製造方法。
【０１７７】
（態様３４）
態様２１〜３３のいずれか１項に記載された動物用排泄物処理材の製造方法であって、
前記選別工程は、第１選別工程と第２選別工程とを有し、
前記第１選別工程は、第１使用篩を有し、
前記第２選別工程は、前記第１使用篩とは異なる前記基準データに関連付けられた第２使用篩を有し、
さらに、選別工程の次工程として、前記第１選別工程により得られた動物用排泄物処理材である第１動物用排泄物処理材と、前記第２選別工程により得られた動物用排泄物処理材である第２動物用排泄物処理材とを混合する混合工程を有することを特徴とする動物用排泄物処理材の製造方法。
【０１７８】
（態様３５）
態様３４に記載された動物用排泄物処理材の製造方法であって、
前記第１選別工程と前記第２選別工程とは同時に稼働可能に構成されていることを特徴とする動物用排泄物処理材の製造方法。
【０１７９】
（態様３６）
態様３４に記載された動物用排泄物処理材の製造方法であって、
前記第１動物用排泄物処理材を保管する保管工程を有し、
前記混合工程は、前記保管工程の前記第１動物用排泄物処理材と、前記第２動物用排泄物処理材とを混合することを特徴とする動物用排泄物処理材の製造方法。
【０１８０】
（態様３７）
請求項３４〜３６のいずれか１項に記載された動物用排泄物処理材の製造方法であって、
前記混合工程は、前記第１動物用排泄物処理材と、前記第２動物用排泄物処理材の流量をする流量制御工程と、
前記混合された前記第１動物用排泄物処理材と前記第２動物用排泄物処理材の品質を管理する混合物品質管理工程とを有し、
前記混合物品質管理工程の管理結果に基づき前記流量制御工程を調整することを特徴とする動物用排泄物処理材の製造方法。
【０１８１】
（態様３８）
動物用排泄物処理材の製造装置であって、
原材料を造粒して粒状体を形成する造粒部と、所定大きさの目開きを有する篩によって前記粒状体を選別することにより動物用排泄物処理材を形成する選別部とを有し、
さらに、品質管理機材を用いた品質管理部として、
前記動物用排泄物処理材から測定対象となるサンプルを抽出する抽出部と、
前記サンプルにおける表面積を比較データとして得る比較データ算出部と、
前記比較データに基づき前記篩の交換を行う篩交換部と、を有することを特徴とする動物用排泄物処理材の製造装置。
【０１８２】
（態様３８）
態様３７に記載された動物用排泄物処理材の製造装置であって、
前記品質管理部は、所定数値の表面積である基準データを有するとともに、前記比較データと前記基準データとを比較する比較部を有することを特徴とする動物用排泄物処理材の製造装置。
【０１８３】
（態様３９）
態様３７または３８に記載された動物用排泄物処理材の製造装置であって、
前記篩は、前記選別部で使用されている使用篩と、当該使用篩とは異なる目開きを有する篩である準備篩とを有し、
前記篩交換部は、前記使用篩を、前記準備篩へと交換することを特徴とする動物用排泄物処理材の製造装置。
【０１８４】
（態様４０）
動物用排泄物処理材の製造方法において、
原材料を造粒して粒状体を形成する造粒工程と、所定大きさの目開きを有する篩によって前記粒状体を選別することにより動物用排泄物処理材を形成する選別工程とを有し、
さらに、品質管理機材を用いた品質管理工程として、
前記動物用排泄物処理材から測定対象となるサンプルを抽出する抽出工程と、
前記サンプルの所定測定単位を測定して単位数値を得るとともに複数の前記単位数値から標準偏差を得ることにより、当該標準偏差を比較データとする比較データ算出工程と、
前記比較データに基づき前記篩交換を行う篩交換工程と、を有することを特徴とする動物用排泄物処理材の製造方法。
【０１８５】
（態様４１）
態様４０に記載された動物用排泄物処理材の製造方法であって、
前記比較データ算出工程は、前記複数の単位数値の平均である平均サンプル単位数値を算出することを特徴とする動物用排泄物処理材の製造方法。
【０１８６】
（態様４２）
態様４０または４１に記載された動物用排泄物処理材の製造方法であって、
前記比較データは、前記標準偏差を前記平均サンプル単位数値で除したものであることを特徴とする動物用排泄物処理材の製造方法。
【０１８７】
（態様４３）
態様４０〜４２のいずれか１項に記載された動物用排泄物処理材の製造方法であって、
前記品質管理工程は、前記比較データの適否を判断するための所定数値である基準データを有するとともに、前記比較データと前記基準データとを比較する比較工程を有することを特徴とする動物用排泄物処理材の製造方法。
【０１８８】
（態様４４）
態様４０〜４３のいずれか1項に記載された動物用排泄物処理材の製造方法であって、
前記篩は、前記選別工程で使用されている使用篩と、当該使用篩とは異なる目開きを有する篩である準備篩とを有し、
前記篩交換工程は、前記使用篩を、前記準備篩へと交換することを特徴とする動物用排泄物処理材の製造方法。
【０１８９】
（態様４５）
態様４０〜４４のいずれか１項に記載された動物用排泄物処理材の製造方法であって、
前記比較データは、前記標準偏差である第１比較データと、前記平均サンプル単位数値である第２比較データとを有し、
前記基準データは、前記第１比較データの適否を判断するための所定数値である第１基準データと、前記第２比較データの適否を判断するための所定数値である第２基準データとを有し、
前記比較工程は、前記第１比較データと前記第２基準データとを比較するとともに、前記第２比較データと前記第２基準データとを比較することを特徴とする動物用排泄物処理材の製造方法。
【０１９０】
（態様４６）
態様４５に記載された動物用排泄物処理材の製造方法であって、
前記比較工程において、前記第２比較データが前記第２基準データよりも小さいと判断された場合は、前記篩交換工程において、前記使用篩を、前記使用篩よりも大きい目開きを有する前記準備篩へと変更することを特徴とする動物用排泄物処理材の製造方法。
【０１９１】
（態様４７）
態様４５に記載された動物用排泄物処理材の製造方法であって、
前記比較工程において、前記第２比較データが前記第２基準データよりも大きいと判断された場合は、前記篩交換工程において、前記使用篩を、前記使用篩よりも小さい目開きを有する前記準備篩へと変更することを特徴とする動物用排泄物処理材の製造方法。
【０１９２】
（態様４８）
態様４０〜４７のいずれか１項に記載された動物用排泄物処理材の製造方法であって、
前記比較データ算出工程は、所定形状として仮定された基準形状を記憶する工程と、前記サンプルの粒径を計測する工程と、前記粒径を前記基準形状に充当することにより前記単位数値を算出する工程と、を有することを特徴とする動物用排泄物処理材の製造方法。
【０１９３】
（態様４９）
態様４８に記載された動物用排泄物処理材の製造方法であって、
上記基準形状は、球体であることを特徴とする動物用排泄物処理材の製造方法。
【０１９４】
（態様５０）
態様４０〜４９のいずれか１項に記載された動物用排泄物処理材の製造方法であって、
前記篩は、特定の前記基準データと関連付けられることを特徴とする動物用排泄物処理材の製造方法。
【０１９５】
（態様５１）
態様４０〜５０のいずれか１項に記載された動物用排泄物処理材の製造方法であって、
前記選別工程は、第１選別工程と第２選別工程とを有し、
前記第１選別工程は、第１使用篩を有し、
前記第２選別工程は、前記第１使用篩とは異なる前記基準データに関連付けられた第２使用篩を有し、
さらに、選別工程の次工程として、前記第１選別工程により得られた動物用排泄物処理材である第１動物用排泄物処理材と、前記第２選別工程により得られた動物用排泄物処理材である第２動物用排泄物処理材とを混合する混合工程を有することを特徴とする動物用排泄物処理材の製造方法。
【０１９６】
（態様５２）
態様５１に記載された動物用排泄物処理材の製造方法であって、
前記第１選別工程と前記第２選別工程とは同時に稼働可能に構成されていることを特徴とする動物用排泄物処理材の製造方法。
【０１９７】
（態様５３）
態様５１に記載された動物用排泄物処理材の製造方法であって、
前記第１動物用排泄物処理材を保管する保管工程を有し、
前記混合工程は、前記保管工程の前記第１動物用排泄物処理材と、前記第２動物用排泄物処理材とを混合することを特徴とする動物用排泄物処理材の製造方法。
【０１９８】
（態様５４）
請求項５１〜５３のいずれか１項に記載された動物用排泄物処理材の製造方法であって、
前記混合工程は、前記第１動物用排泄物処理材と、前記第２動物用排泄物処理材の流量をする流量制御工程と、
前記混合された前記第１動物用排泄物処理材と前記第２動物用排泄物処理材の品質を管理する混合物品質管理工程とを有し、
前記混合物品質管理工程の管理結果に基づき前記流量制御工程を調整することを特徴とする動物用排泄物処理材の製造方法。
【０１９９】
（態様５５）
動物用排泄物処理材の製造装置において、
原材料を造粒して粒状体を形成する造粒部と、所定大きさの目開きを有する篩によって前記粒状体を選別することにより動物用排泄物処理材を形成する選別部とを有し、
さらに、品質管理機材を用いた品質管理部として、
前記動物用排泄物処理材から測定対象となるサンプルを抽出する抽出部と、
前記サンプルの所定測定単位を測定して単位数値を得るとともに複数の前記単位数値から標準偏差を得ることにより、当該標準偏差を比較データとする比較データ算出部と、
前記比較データに基づき前記篩交換を行う篩交換部と、を有することを特徴とする動物用排泄物処理材の製造装置。
【０２００】
（態様５６）
態様５５に記載された動物用排泄物処理材の製造装置であって、
前記比較データ算出部は、前記複数の単位数値の平均である平均サンプル単位数値を算出することを特徴とする動物用排泄物処理材の製造装置。
【０２０１】
（態様５７）
態様５５または５６に記載された動物用排泄物処理材の製造装置であって、
前記比較データは、前記標準偏差を前記平均サンプル単位数値で除したものであることを特徴とする動物用排泄物処理材の製造装置。
【０２０２】
（態様５８）
態様５５〜５７のいずれか１項に記載された動物用排泄物処理材の製造装置であって、
前記品質管理部は、前記比較データの適否を判断するための所定数値である基準データを有するとともに、前記比較データと前記基準データとを比較する比較部を有することを特徴とする動物用排泄物処理材の製造装置。
【０２０３】
（態様５９）
態様５５〜５８のいずれか1項に記載された動物用排泄物処理材の製造装置であって、
前記篩は、前記選別部で使用されている使用篩と、当該使用篩とは異なる目開きを有する篩である準備篩とを有し、
前記篩交換部は、前記使用篩を、前記準備篩へと交換することを特徴とする動物用排泄物処理材の製造装置。
【符号の説明】
【０２０４】
Ａ  製造装置
Ａ１  第１製造装置
Ａ２  第２製造装置
Ａ３  第３製造装置
Ａ４  第４製造装置
Ａ５  第５製造装置
ＡＡ  第１粒状体取得部
ＡＢ  第２粒状体取得部
Ａ１００  造粒部
Ａ１０１  第１造粒部
Ａ１０２  第２造粒部
Ａ２００  選別部
Ａ２０１  第１選別部
Ａ２０２  第２選別部
Ａ３００  品質管理部
Ａ３０１  第１品質管理部
Ａ３０２  第２品質管理部
Ａ３０３  第３品質管理部
Ａ４００  抽出部
Ａ５００  比較データ算出部
Ａ５１０  単位数値計測部
Ａ５１１  第１単位数値計測部
Ａ５１２  第２単位数値計測部
Ａ５１２１  第１測定用篩
Ａ５１２２  第２測定用篩
Ａ５１２３  第３測定用篩
Ａ５１２ｎ  第ｎ測定用篩
Ａ５２０  比較データ演算部
Ａ５２１  第１比較データ演算部
Ａ５２２  第２比較データ演算部
Ａ５２３  第３比較データ演算部
Ａ５２４  第４比較データ演算部
Ａ５２５  第５比較データ演算部
Ａ５２６  第６比較データ演算部
Ａ５２７  第７比較データ演算部
Ａ５２８  第８比較データ演算部
Ａ５２９  第９比較データ演算部
Ａ５２０１０  第１０比較データ演算部
Ａ５２０１１  第１１比較データ演算部
Ａ５２０１２  第１２比較データ演算部
Ａ５２０１３  第１３比較データ演算部
Ａ６００  比較部
Ａ６１０  比較演算部
Ａ６１１  第１比較演算部
Ａ６１２  第２比較演算部   
Ａ６１３  第３比較演算部
Ａ６１４  第４比較演算部
Ａ６１５  第５比較演算部
Ａ６１６  第６比較演算部   
Ａ６１７  第７比較演算部
Ａ６１８  第８比較演算部
Ａ６１９  第９比較演算部
Ａ６１０１０  第１０比較演算部
Ａ６１０１１  第１１比較演算部
Ａ６１０１２  第１２比較演算部
Ａ６１０１２  第１３比較演算部
Ａ６２０  基準データ記憶部
Ａ６２１  第１基準データ記憶部
Ａ６２２  第２基準データ記憶部
Ａ７００  篩交換部
Ａ７０１  第１篩交換部
Ａ７０２  第２篩交換部
Ａ８００  最終処理部
Ａ８１０  混合部
Ａ８２０  通路
Ａ８２１  第１通路
Ａ８２２  第２通路
Ａ８２３  合流通路
Ａ８３０  流量制御部
Ａ８３１  矢印
Ａ９００  保管部
Ｂ１００  篩
Ｂ１１０  使用篩
Ｂ１２０  準備篩
Ｃ１００  動物用排泄物処理材
Ｃ１１０  直径
ＳＡ  製造工程
ＳＡ１  第１製造工程
ＳＡ２  第２製造工程
ＳＡ３  第３製造工程
ＳＡ４  第４製造工程
ＳＡ５  第５製造工程
ＳＡＡ  第１粒状体取得工程
ＳＡＢ  第２粒状体取得工程
Ｓ１００  造粒工程
Ｓ１０１  第１造粒工程
Ｓ１０２  第２造粒工程
Ｓ２００  選別工程
Ｓ２０１  第１選別工程
Ｓ２０２  第２選別工程
Ｓ３００  品質管理工程
Ｓ３０１  第１品質管理工程
Ｓ３０２  第２品質管理工程
Ｓ３０３  第３品質管理工程
Ｓ４００  抽出工程
Ｓ５００  比較データ算出工程
Ｓ５１０  単位数値計測工程
Ｓ５２０  比較データ演算工程
Ｓ５２１  第１比較データ演算工程
Ｓ５２２  第２比較データ演算工程
Ｓ５２３  第３比較データ演算工程
Ｓ５２４  第４比較データ演算工程
Ｓ５２５  第５比較データ演算工程
Ｓ５２６  第６比較データ演算工程
Ｓ５２７  第７比較データ演算工程
Ｓ５２８  第８比較データ演算工程
Ｓ５２９  第９比較データ演算工程
Ｓ５２０１０  第１０比較データ演算工程
Ｓ５２０１１  第１１比較データ演算工程
Ｓ５２０１２  第１２比較データ演算工程
Ｓ５２０１２  第１３比較データ演算工程
Ｓ５２０１２  第１２比較データ演算工程
Ｓ５２０１３  第１３比較データ演算工程
Ｓ６００  比較工程
Ｓ６１０  比較演算工程
Ｓ６１１  第１比較演算工程
Ｓ６１１１  第１演算処理
Ｓ６１１２  第２演算処理
Ｓ６１２  第２比較演算工程
Ｓ６１２１  第１演算処理
Ｓ６１２２  第２演算処理
Ｓ６１２３  第３演算処理
Ｓ６１２４  第４演算処理
Ｓ６１２５  第５演算処理   
Ｓ６１３  第３比較演算工程
Ｓ６１３１  第１演算処理
Ｓ６１３２  第２演算処理
Ｓ６１３３  第３演算処理
Ｓ６１３４  第４演算処理
Ｓ６１３５  第５演算処理
Ｓ６１３６  第６演算処理
Ｓ６１３７  第７演算処理
Ｓ６１４  第４比較演算工程
Ｓ６１４１  第１演算処理
Ｓ６１４２  第２演算処理
Ｓ６１４３  第３演算処理
Ｓ６１４４  第４演算処理
Ｓ６１４５  第５演算処理
Ｓ６１５  第５比較演算工程
Ｓ６１５１  第１演算処理
Ｓ６１５２  第２演算処理
Ｓ６１５３  第３演算処理
Ｓ６１５４  第４演算処理
Ｓ６１５５  第５演算処理
Ｓ６１５６  第６演算処理
Ｓ６１６７  第７演算処理
Ｓ６１６  第６比較演算工程
Ｓ６１６１  第１演算処理
Ｓ６１６２  第２演算処理   
Ｓ６１７  第７比較演算工程
Ｓ６１７１  第１演算処理
Ｓ６１７２  第２演算処理
Ｓ６１７３  第３演算処理
Ｓ６１７４  第４演算処理
Ｓ６１７５  第５演算処理
Ｓ６１８  第８比較演算工程
Ｓ６１８１  第１演算処理
Ｓ６１８２  第２演算処理
Ｓ６１８３  第３演算処理
Ｓ６１８４  第４演算処理
Ｓ６１８５  第５演算処理
Ｓ６１８６  第６演算処理
Ｓ６１８７  第７演算処理
Ｓ６１９  第９比較演算工程
Ｓ６１９１  第１演算処理
Ｓ６１９２  第２演算処理
Ｓ６１９３  第３演算処理
Ｓ６１９４  第４演算処理
Ｓ６１９５  第５演算処理
Ｓ６１０１０  第１０比較演算工程
Ｓ６１０１０１  第１演算処理
Ｓ６１０１０２  第２演算処理
Ｓ６１０１０３  第３演算処理
Ｓ６１０１０４  第４演算処理
Ｓ６１０１０５  第５演算処理
Ｓ６１０１０６  第６演算処理
Ｓ６１０１０７  第７演算処理
Ｓ６１０１１  第１１比較演算工程
Ｓ６１０１１１  第１演算処理
Ｓ６１０１１２  第２演算処理
Ｓ６１０１２  第１２比較演算工程
Ｓ６１０１２１  第１演算処理
Ｓ６１０１２２  第２演算処理
Ｓ６１０１２３  第３演算処理
Ｓ６１０１３  第１３比較演算工程
Ｓ６１０１３１  第１演算処理
Ｓ６１０１３２  第２演算処理
Ｓ６１０１３３  第３演算処理
Ｓ６１０１３４  第４演算処理
Ｓ６１０１３５  第５演算処理
Ｓ７００  篩交換工程
Ｓ８００  最終処理工程
Ｓ８１０  混合工程
Ｓ８３０  流量制御工程
Ｓ９００  保管工程
【図１】
2015057986.tif 000003
【図２】
2015057986.tif 000004
【図３】
2015057986.tif 000005
【図４】
2015057986.tif 000006
【図５】
2015057986.tif 000007
【図６】
2015057986.tif 000008
【図７】
2015057986.tif 000009
【図８】
2015057986.tif 000010
【図９】
2015057986.tif 000011
【図１０】
2015057986.tif 000012
【図１１】
2015057986.tif 000013
【図１２】
2015057986.tif 000014
【図１３】
2015057986.tif 000015
【図１４】
2015057986.tif 000016
【図１５】
2015057986.tif 000017
【図１６】
2015057986.tif 000018
【図１７】
2015057986.tif 000019
【図１８】
2015057986.tif 000020
【図１９】
2015057986.tif 000021
【図２０】
2015057986.tif 000022
【図２１】
2015057986.tif 000023
【図２２】
2015057986.tif 000024
【図２３】
2015057986.tif 000025
【図２４】
2015057986.tif 000026
【図２５】
2015057986.tif 000027
【図２６】
2015057986.tif 000028
【図２７】
2015057986.tif 000029
【図２８】
2015057986.tif 000030
【図２９】
2015057986.tif 000031
【図３０】
2015057986.tif 000032
【図３１】
2015057986.tif 000033
【図３２】
2015057986.tif 000034
【図３３】
2015057986.tif 000035
【図３４】
2015057986.tif 000036
【図３５】
2015057986.tif 000037
【図３６】
2015057986.tif 000038